(57)【要約】【課題】マクロセル及びスモールセルでの無線通信に関する端末装置への負荷をより小さくすることを可能にすること。【解決手段】１つの主要な周波数帯域及び１つ以上の補助的な周波数帯域を使用して無線通信可能な端末装置がマクロセル内に位置する場合に、上記端末装置による無線通信を制御する制御部、を備える通信制御装置が提供される。上記制御部は、上記マクロセルと一部又は全体で重複するスモールセル及び上記マクロセル内に上記端末装置が位置する場合に、上記マクロセル及び上記スモールセルの一方で無線通信するための１つ以上の周波数帯域の１つを上記主要な周波数帯域として使用し、上記マクロセル及び上記スモールセルの他方で無線通信するための１つ以上の周波数帯域の各々を上記補助な周波数帯域として使用するように、上記端末装置を制御する。【選択図】図９
2014069057.tif 000002
【特許請求の範囲】
【請求項１】
１つの主要な周波数帯域及び１つ以上の補助的な周波数帯域を使用して無線通信可能な端末装置がマクロセル内に位置する場合に、前記端末装置による無線通信を制御する制御部
を備え、
前記制御部は、前記マクロセルと一部又は全体で重複するスモールセル及び前記マクロセル内に前記端末装置が位置する場合に、前記マクロセル及び前記スモールセルの一方で無線通信するための１つ以上の周波数帯域の１つを前記主要な周波数帯域として使用し、前記マクロセル及び前記スモールセルの他方で無線通信するための１つ以上の周波数帯域の各々を前記補助な周波数帯域として使用するように、前記端末装置を制御する、
通信制御装置。
【請求項２】
前記マクロセル及び前記スモールセルの一方は、前記マクロセルであり、
前記マクロセル及び前記スモールセルの他方は、前記スモールセルであり、
前記制御部は、前記スモールセル及び前記マクロセル内に前記端末装置が位置する場合に、前記マクロセルで無線通信するための１つ以上のマクロセル用周波数帯域の１つを前記主要な周波数帯域として使用し、前記スモールセルで無線通信するための１つ以上のスモールセル用周波数帯域の各々を前記補助的な周波数帯域として使用するように、前記端末装置を制御する、
請求項１に記載の通信制御装置。
【請求項３】
前記１つ以上のスモールセル用周波数帯域の各々は、前記主要な周波数帯域として使用されない、請求項２に記載の通信制御装置。
【請求項４】
前記制御部は、前記１つ以上のマクロセル用周波数帯域が複数のマクロセル用周波数帯域を含む場合に、前記１つ以上のマクロセル用周波数帯域のうちの残りを前記補助的な周波数帯域として使用するように、前記端末装置を制御する、請求項２に記載の通信制御装置。
【請求項５】
前記１つ以上のスモールセル用周波数帯域の各々についてのリソース割当て情報は、前記１つ以上のマクロセル用周波数帯域のうちのいずれかのマクロセル用周波数帯域を使用して送信される、請求項２に記載の通信制御装置。
【請求項６】
前記リソース割当て情報が、前記いずれかのマクロセル用周波数帯域を使用して送信される場合に、前記スモールセル内で使用可能な周波数帯域のうちのいずれの周波数帯域が前記リソース割当て情報の対象かを示すスモールセル帯域識別情報も、前記いずれかのマクロセル用周波数帯域を使用して送信され、
前記いずれかのマクロセル用周波数帯域を使用して前記スモールセル帯域識別情報が送信されることは、前記端末装置に通知される、
請求項５に記載の通信制御装置。
【請求項７】
前記スモールセル帯域識別情報が前記いずれかのマクロセル用周波数帯域を使用して送信される場合に、前記マクロセル内で使用可能な周波数帯域のうちのいずれの周波数帯域が前記端末装置のリソース割当て情報の対象かを示すマクロセル帯域識別情報は、前記いずれかのマクロセル用周波数帯域を使用して送信されない、請求項６に記載の通信制御装置。
【請求項８】
前記スモールセル帯域識別情報は、前記いずれかのマクロセル用周波数帯域を使用して送信される場合に、前記いずれかのマクロセル用周波数帯域を使用して送信される前記端末装置用の制御情報に含まれ、
前記マクロセル帯域識別情報は、前記スモールセル帯域識別情報が前記端末装置用の前記制御情報に含まれる場合には、当該制御情報に含まれない。
請求項７に記載の通信制御装置。
【請求項９】
前記リソース割当て情報は、物理ダウンリンク制御チャネルのうちの拡張部分で送信される、請求項５に記載の通信制御装置。
【請求項１０】
前記物理ダウンリンク制御チャネルの前記拡張部分は、ｅＰＤＣＣＨ（enhanced  Physical  Downlink  Control  CHannel）である、請求項９に記載の通信制御装置。
【請求項１１】
前記リソース割当て情報は、無線通信の時間の単位であるサブフレームごとに送信され、
第１のサブフレーム内で送信される前記リソース割当て情報は、前記第１のサブフレームよりも後の第２のサブフレーム内のダウンリンクリソースについてのリソース割当て情報を含む、
請求項５に記載の通信制御装置。
【請求項１２】
前記第１のサブフレームと前記第２のサブフレームとの間のオフセットは、前記端末装置のために個別に決定される、請求項１１に記載の通信制御装置。
【請求項１３】
前記スモールセル内で使用される周波数帯域は、前記マクロセル内で使用される周波数帯域よりも、より高い周波数帯域である、請求項１に記載の通信制御装置。
【請求項１４】
前記１つの主要な周波数帯域及び前記１つ以上の補助的な周波数帯域は、キャリアアグリゲーションで使用される、請求項１に記載の通信制御装置。
【請求項１５】
前記１つの主要な周波数帯域は、１つのプライマリコンポーネントキャリアであり、
前記１つ以上の補助的な周波数帯域は、１つ以上のセカンダリコンポーネントキャリアである、
請求項１４に記載の通信制御装置。
【請求項１６】
前記スモールセル内で使用可能な周波数帯域は、１つの周波数帯域である、請求項１に記載の通信制御装置。
【請求項１７】
コンピュータを、
１つの主要な周波数帯域及び１つ以上の補助的な周波数帯域を使用して無線通信可能な端末装置がマクロセル内に位置する場合に、前記端末装置による無線通信を制御する制御部
として機能させ、
前記制御部は、前記マクロセルと一部又は全体で重複するスモールセル及び前記マクロセル内に前記端末装置が位置する場合に、前記マクロセル及び前記スモールセルの一方で無線通信するための１つ以上の周波数帯域の１つを前記主要な周波数帯域として使用し、前記マクロセル及び前記スモールセルの他方で無線通信するための１つ以上の周波数帯域の各々を前記補助な周波数帯域として使用するように、前記端末装置を制御する、
プログラム。
【請求項１８】
１つの主要な周波数帯域及び１つ以上の補助的な周波数帯域を使用して無線通信可能な端末装置がマクロセル内に位置する場合に、前記端末装置による無線通信を制御すること
を含み、
前記端末装置による無線通信を制御することは、前記マクロセルと一部又は全体で重複するスモールセル及び前記マクロセル内に前記端末装置が位置する場合に、前記マクロセル及び前記スモールセルの一方で無線通信するための１つ以上の周波数帯域の１つを前記主要な周波数帯域として使用し、前記マクロセル及び前記スモールセルの他方で無線通信するための１つ以上の周波数帯域の各々を前記補助な周波数帯域として使用するように、前記端末装置を制御すること、を含む、
通信制御方法。
【請求項１９】
１つの主要な周波数帯域及び１つ以上の補助的な周波数帯域を使用して無線通信可能な端末装置が、マクロセルと一部又は全体で重複するスモールセル内に位置する場合に、前記端末装置による前記スモールセル内での無線通信を制御する制御部
を備え、
前記制御部は、
前記端末装置が、前記マクロセル及び前記スモールセル内に位置し、前記マクロセルで無線通信するための１つ以上のマクロセル用周波数帯域の１つを前記主要な周波数帯域として使用する場合に、前記スモールセルで無線通信するための１つ以上のスモールセル用周波数帯域の各々を前記補助な周波数帯域として使用するように、前記端末装置を制御し、又は
前記端末装置が、前記マクロセル及び前記スモールセル内に位置し、前記１つ以上のマクロセル用周波数帯域の各々を前記補助的な周波数帯域として使用する場合に、前記１つ以上のスモールセル用周波数帯域の１つを前記主要な周波数帯域として使用するように、前記端末装置を制御する、
通信制御装置。
【請求項２０】
コンピュータを、
１つの主要な周波数帯域及び１つ以上の補助的な周波数帯域を使用して無線通信可能な端末装置が、マクロセルと一部又は全体で重複するスモールセル内に位置する場合に、前記端末装置による前記スモールセル内での無線通信を制御する制御部
として機能させ、
前記制御部は、
前記端末装置が、前記マクロセル及び前記スモールセル内に位置し、前記マクロセルで無線通信するための１つ以上のマクロセル用周波数帯域の１つを前記主要な周波数帯域として使用する場合に、前記スモールセルで無線通信するための１つ以上のスモールセル用周波数帯域の各々を前記補助な周波数帯域として使用するように、前記端末装置を制御し、又は
前記端末装置が、前記マクロセル及び前記スモールセル内に位置し、前記１つ以上のマクロセル用周波数帯域の各々を前記補助的な周波数帯域として使用する場合に、前記１つ以上のスモールセル用周波数帯域の１つを前記主要な周波数帯域として使用するように、前記端末装置を制御する、
プログラム。
【請求項２１】
１つの主要な周波数帯域及び１つ以上の補助的な周波数帯域を使用して無線通信可能な端末装置が、マクロセルと一部又は全体で重複するスモールセル内に位置する場合に、前記端末装置による前記スモールセル内での無線通信を制御すること
を含み、
前記端末装置による無線通信を制御することは、
前記端末装置が、前記マクロセル及び前記スモールセル内に位置し、前記マクロセルで無線通信するための１つ以上のマクロセル用周波数帯域の１つを前記主要な周波数帯域として使用する場合に、前記スモールセルで無線通信するための１つ以上のスモールセル用周波数帯域の各々を前記補助な周波数帯域として使用するように、前記端末装置を制御すること、又は
前記端末装置が、前記マクロセル及び前記スモールセル内に位置し、前記１つ以上のマクロセル用周波数帯域の各々を前記補助的な周波数帯域として使用する場合に、前記１つ以上のスモールセル用周波数帯域の１つを前記主要な周波数帯域として使用するように、前記端末装置を制御すること
を含む、
通信制御方法。
【請求項２２】
マクロセルで無線通信するための１つ以上のマクロセル用周波数帯域を使用して前記マクロセル内で無線通信し、前記マクロセルと一部又は全体で重複するスモールセルで無線通信するための１つ以上のスモールセル用周波数帯域を使用して前記スモールセル内で無線通信する無線通信部と、
前記１つ以上のマクロセル用周波数帯域及び前記１つ以上のスモールセル用周波数帯域の一方の１つを主要な周波数帯域として使用し、前記１つ以上のマクロセル用周波数帯域及び前記１つ以上のスモールセル用周波数帯域の一方の各々を補助的な周波数帯域として使用する制御部と、
を備える端末装置。
【請求項２３】
マクロセルで無線通信するための１つ以上のマクロセル用周波数帯域を使用して前記マクロセル内で無線通信することと、
前記マクロセルと一部又は全体で重複するスモールセルで無線通信するための１つ以上のスモールセル用周波数帯域を使用して前記スモールセル内で無線通信することと、
前記１つ以上のマクロセル用周波数帯域及び前記１つ以上のスモールセル用周波数帯域の一方の１つを主要な周波数帯域として使用し、前記１つ以上のマクロセル用周波数帯域及び前記１つ以上のスモールセル用周波数帯域の一方の各々を補助的な周波数帯域として使用することと、
を含む通信制御方法。
【発明の詳細な説明】
【技術分野】
【０００１】
本開示は、通信制御装置、端末装置、プログラム及び通信制御方法に関する。
【背景技術】
【０００２】
現在、スマートフォンの普及により、セルラーシステムのデータトラフィックの増大が懸念されている。そのため、各セルラー事業者にとって、セルラーシステムの通信容量を増加させることが増々重要になっている。【０００３】
通信容量の増加のために、例えば、事業者は、ピコセル、フェムトセル等のスモールセルをマクロセル内に配置する。これにより、事業者は、セル分割利得によるさらなる通信容量を得ることができる。このようなスモールセルの利用のための様々な技術が検討されている。【０００４】
例えば、特許文献１には、マクロセルとスモールセルとの間で周波数帯域が共有される場合に、協調マネージャを用いて各端末装置及び基地局の出力電力を適切に調整することにより、干渉を抑制する技術が、開示されている。
【先行技術文献】
【特許文献】
【０００５】
【特許文献１】特開２０１１−２１１３６９号公報
【発明の概要】
【発明が解決しようとする課題】
【０００６】
一方、マクロセル及びスモールセルの両方で同じ周波数帯域が同時に使用されずに、マクロセルとスモールセルとの間で（少なくとも同時には）別々の周波数帯域が使用されるシナリオもあり得る。しかし、このような場合に、端末装置は、マクロセルの基地局及びスモールセルの基地局の両方と接続状態（例えば、ＬＴＥ（Long  Term  Evolution）のＲＲＣ接続状態（RRC  Connected））になり得る。即ち、端末装置は、マクロセルの基地局とのみではなく、スモールセルの基地局とも接続状態になるために、例えば数十にも及ぶトランザクションをマクロセル及びスモールセルの両方で行うことが必要になる。その結果、端末装置への負担が大きくなり得る。【０００７】
そこで、マクロセル及びスモールセルでの無線通信に関する端末装置への負荷をより小さくすることを可能にする仕組みが提供されることが望ましい。
【課題を解決するための手段】
【０００８】
本開示によれば、１つの主要な周波数帯域及び１つ以上の補助的な周波数帯域を使用して無線通信可能な端末装置がマクロセル内に位置する場合に、上記端末装置による無線通信を制御する制御部、を備える通信制御装置が提供される。上記制御部は、上記マクロセルと一部又は全体で重複するスモールセル及び上記マクロセル内に上記端末装置が位置する場合に、上記マクロセル及び上記スモールセルの一方で無線通信するための１つ以上の周波数帯域の１つを上記主要な周波数帯域として使用し、上記マクロセル及び上記スモールセルの他方で無線通信するための１つ以上の周波数帯域の各々を上記補助な周波数帯域として使用するように、上記端末装置を制御する。【０００９】
また、本開示によれば、コンピュータを、１つの主要な周波数帯域及び１つ以上の補助的な周波数帯域を使用して無線通信可能な端末装置がマクロセル内に位置する場合に、上記端末装置による無線通信を制御する制御部として機能させるためのプログラムが提供される。上記制御部は、上記マクロセルと一部又は全体で重複するスモールセル及び上記マクロセル内に上記端末装置が位置する場合に、上記マクロセル及び上記スモールセルの一方で無線通信するための１つ以上の周波数帯域の１つを上記主要な周波数帯域として使用し、上記マクロセル及び上記スモールセルの他方で無線通信するための１つ以上の周波数帯域の各々を上記補助な周波数帯域として使用するように、上記端末装置を制御する。【００１０】
また、本開示によれば、１つの主要な周波数帯域及び１つ以上の補助的な周波数帯域を使用して無線通信可能な端末装置がマクロセル内に位置する場合に、上記端末装置による無線通信を制御することを含む通信制御方法が提供される。上記端末装置による無線通信を制御することは、上記マクロセルと一部又は全体で重複するスモールセル及び上記マクロセル内に上記端末装置が位置する場合に、上記マクロセル及び上記スモールセルの一方で無線通信するための１つ以上の周波数帯域の１つを上記主要な周波数帯域として使用し、上記マクロセル及び上記スモールセルの他方で無線通信するための１つ以上の周波数帯域の各々を上記補助な周波数帯域として使用するように、上記端末装置を制御すること、を含む。【００１１】
また、本開示によれば、１つの主要な周波数帯域及び１つ以上の補助的な周波数帯域を使用して無線通信可能な端末装置が、マクロセルと一部又は全体で重複するスモールセル内に位置する場合に、上記端末装置による上記スモールセル内での無線通信を制御する制御部、を備える通信制御装置が提供される。上記制御部は、上記端末装置が、上記マクロセル及び上記スモールセル内に位置し、上記マクロセルで無線通信するための１つ以上のマクロセル用周波数帯域の１つを上記主要な周波数帯域として使用する場合に、上記スモールセルで無線通信するための１つ以上のスモールセル用周波数帯域の各々を上記補助な周波数帯域として使用するように、上記端末装置を制御し、又は、上記端末装置が、上記マクロセル及び上記スモールセル内に位置し、上記１つ以上のマクロセル用周波数帯域の各々を上記補助的な周波数帯域として使用する場合に、上記１つ以上のスモールセル用周波数帯域の１つを上記主要な周波数帯域として使用するように、上記端末装置を制御する。【００１２】
また、本開示によれば、コンピュータを、１つの主要な周波数帯域及び１つ以上の補助的な周波数帯域を使用して無線通信可能な端末装置が、マクロセルと一部又は全体で重複するスモールセル内に位置する場合に、上記端末装置による上記スモールセル内での無線通信を制御する制御部、として機能させるためのプログラムが提供される。上記制御部は、上記端末装置が、上記マクロセル及び上記スモールセル内に位置し、上記マクロセルで無線通信するための１つ以上のマクロセル用周波数帯域の１つを上記主要な周波数帯域として使用する場合に、上記スモールセルで無線通信するための１つ以上のスモールセル用周波数帯域の各々を上記補助な周波数帯域として使用するように、上記端末装置を制御し、又は、上記端末装置が、上記マクロセル及び上記スモールセル内に位置し、上記１つ以上のマクロセル用周波数帯域の各々を上記補助的な周波数帯域として使用する場合に、上記１つ以上のスモールセル用周波数帯域の１つを上記主要な周波数帯域として使用するように、上記端末装置を制御する。【００１３】
また、本開示によれば、１つの主要な周波数帯域及び１つ以上の補助的な周波数帯域を使用して無線通信可能な端末装置が、マクロセルと一部又は全体で重複するスモールセル内に位置する場合に、上記端末装置による上記スモールセル内での無線通信を制御すること、を含む通信制御方法が提供される。上記端末装置による無線通信を制御することは、上記端末装置が、上記マクロセル及び上記スモールセル内に位置し、上記マクロセルで無線通信するための１つ以上のマクロセル用周波数帯域の１つを上記主要な周波数帯域として使用する場合に、上記スモールセルで無線通信するための１つ以上のスモールセル用周波数帯域の各々を上記補助な周波数帯域として使用するように、上記端末装置を制御すること、又は、上記端末装置が、上記マクロセル及び上記スモールセル内に位置し、上記１つ以上のマクロセル用周波数帯域の各々を上記補助的な周波数帯域として使用する場合に、上記１つ以上のスモールセル用周波数帯域の１つを上記主要な周波数帯域として使用するように、上記端末装置を制御することを含む。【００１４】
また、本開示によれば、マクロセルで無線通信するための１つ以上のマクロセル用周波数帯域を使用して上記マクロセル内で無線通信し、上記マクロセルと一部又は全体で重複するスモールセルで無線通信するための１つ以上のスモールセル用周波数帯域を使用して上記スモールセル内で無線通信する無線通信部と、上記１つ以上のマクロセル用周波数帯域及び上記１つ以上のスモールセル用周波数帯域の一方の１つを主要な周波数帯域として使用し、上記１つ以上のマクロセル用周波数帯域及び上記１つ以上のスモールセル用周波数帯域の一方の各々を補助的な周波数帯域として使用する制御部と、を備える端末装置が提供される。【００１５】
また、本開示によれば、マクロセルで無線通信するための１つ以上のマクロセル用周波数帯域を使用して上記マクロセル内で無線通信することと、上記マクロセルと一部又は全体で重複するスモールセルで無線通信するための１つ以上のスモールセル用周波数帯域を使用して上記スモールセル内で無線通信することと、上記１つ以上のマクロセル用周波数帯域及び上記１つ以上のスモールセル用周波数帯域の一方の１つを主要な周波数帯域として使用し、上記１つ以上のマクロセル用周波数帯域及び上記１つ以上のスモールセル用周波数帯域の一方の各々を補助的な周波数帯域として使用することと、を含む通信制御方法が提供される。
【発明の効果】
【００１６】
以上説明したように本開示によれば、マクロセル及びスモールセルでの無線通信に関する端末装置への負荷をより小さくすることが可能となる。
【図面の簡単な説明】
【００１７】
【図１】マクロセルとスモールセルとで別々の周波数帯域が用いられるシナリオの一例を説明するための説明図である。
【図２】サブフレームごとに配置されるＰＤＣＣＨを説明するための説明図である。
【図３】各ＵＥのＰＣＣの一例を説明するための説明図である。
【図４】クロスキャリアスケジューリングが適用されない場合のＣＣの一例を説明するための説明図である。
【図５】クロスキャリアスケジューリングが適用される場合のＣＣの一例を説明するための説明図である。
【図６】サブフレームごとに送信されるｅＰＤＣＣＨの一例を説明するための説明図である。
【図７】一実施形態に係る無線通信システムの概略的な構成の一例を示す説明図である。
【図８】一実施形態に係るマクロｅＮｏｄｅＢの構成の一例を示すブロック図である。
【図９】一実施形態係る制御によるＵＥのＣＣの使用の一例を説明するための説明図である。
【図１０】一実施形態に係るピコｅＮｏｄｅＢの構成の一例を示すブロック図である。
【図１１】一実施形態に係るＵＥの構成の一例を示すブロック図である。
【図１２】一実施形態に係る通信制御処理の概略的な流れの一例を示すシーケンス図である。
【図１３】一実施形態の第１の変形例係るＰＤＣＣＨの送信の一例を説明するための説明図である。
【図１４】一実施形態の第１の変形例に係る通信制御処理の概略的な流れの一例を示すシーケンス図である。
【図１５】一実施形態の第２の変形例係るＮ−ＣＩＦの一例を説明するための説明図である。
【図１６】一実施形態の第２の変形例に係る通信制御処理の概略的な流れの一例を示すシーケンス図である。
【図１７】一実施形態の第２の実施形態に従ってＣＩＦに関するＵＥの動作を決定するための処理の概略的な流れの一例を示すフローチャートである。
【図１８】一実施形態の第３の変形例に従ったスケジューリング情報の送信の一例を説明するための説明図である。
【図１９】一実施形態の第３の変形例に係る通信制御処理の概略的な流れの一例を示すシーケンス図である。
【図２０】一実施形態の第４の変形例に従ったダウンリンク割当て情報の一例を説明するための説明図である。
【図２１】一実施形態の第４の変形例に係るＵＥの通信制御処理の概略的な流れの一例を示すフローチャートである。
【発明を実施するための形態】
【００１８】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１９】
なお、説明は以下の順序で行うものとする。
１．はじめに
１．１．３ＧＰＰにおける無線通信の技術
１．２．技術的課題
２．無線通信システムの概略的な構成
３．各装置の構成
３．１．マクロｅＮｏｄｅＢの構成
３．２．ピコｅＮｏｄｅＢの構成
３．３．ＵＥの構成
４．処理の流れ
５．変形例
５．１．第１の変形例
５．２．第２の変形例
５．３．第３の変形例
５．４．第４の変形例
６．まとめ
【００２０】
＜＜＜１．はじめに＞＞＞
まず、３ＧＰＰ（3rd  Generation  Partnership  Project）における無線通信の技術、及び技術的課題を説明する。
【００２１】
＜＜１．１．３ＧＰＰにおける無線通信の技術＞＞
以下、図１〜図６を参照して、３ＧＰＰにおける無線通信の技術を説明する。
【００２２】
（リリース１０のスモールセル）
３ＧＰＰのリリース１０及びリリース１１でも、スモールセル（具体的には、ピコセル）への言及がある。リリース１０及びリリース１１では、基地局はｅＮｏｄｅＢと呼ばれるが、とりわけ、マクロセルのｅＮｏｄｅＢはマクロｅＮｏｄｅＢと呼ばれ、ピコセルのｅＮｏｄｅＢはピコｅＮｏｄｅＢと呼ばれる。
【００２３】
ピコセルは、マクロセルと一部又は全体で重複し、例えば、マクロｅＮｏｄｅＢ及びピコｅＮｏｄｅＢは、同一の周波数帯域を使用する。このようなネットワークは、Ｈｅｔ−Ｎｅｔ（Heterogeneous  network）と呼ばれる。Ｈｅｔ−Ｎｅｔでは、マクロｅＮｏｄｅＢとピコｅＮｏｄｅＢとの間の干渉を減らすことが重要な課題であるので、この干渉を減らす技術について３ＧＰＰにおいて議論が盛んに行われた。例えば、ほとんどの送信が停止されるＡＢＳ（Almost  Blank  Subframe）というサブフレームをマクロセル（マクロｅＮｏｄｅＢ）側に設けること等が、検討された。
【００２４】
（リリース１０のリレー局とピコｅＮｏｄｅＢとの違い）
リリース１０のリレー局（Relay  Station）及びピコｅＮｏｄｅＢは、独立した基地局であるという点で共通する。しかし、ピコｅＮｏｄｅＢとマクロｅＮｏｄｅＢとは、一般的に、無線ではなく有線で接続される。また、ピコｅＮｏｄｅＢとマクロｅＮｏｄｅＢとは、同一のセルＩＤを有する場合もある。
【００２５】
（リモートレディオヘッド）
ピコｅＮｏｄｅＢの一形態として、リモートレディオヘッド（ＲＲＨ：Remote  Radio  Head）がある。ＲＲＨは、例えば、主としてアナログ信号処理部分及びアンテナ部分を備え、マクロｅＮｏｄｅＢから光ファイバで張り出される。この場合に、マクロｅＮｏｄｅＢ側に、ピコセルのための通信制御機能が実装され得る。
【００２６】
（リリース１２で想定されるスモールセル）
一方、マクロｅＮｏｄｅＢとピコｅＮｏｄｅＢとが別々の周波数帯域を用いるというシナリオが、リリース１２のシナリオとして検討されると予想される。以下、この点について図１を参照してより具体的に説明する。
【００２７】
図１は、マクロセルとスモールセルとで別々の周波数帯域が用いられるシナリオの一例を説明するための説明図である。図１を参照すると、マクロセル１０及びマクロｅＮｏｄｅＢ１１が示されている。また、マクロセル１０と全体で重複するピコセル２０及びピコｅＮｏｄｅＢ２１が示されている。さらに、マクロｅＮｏｄｅＢ及びピコｅＮｏｄｅＢと通信するＵＥ（User  Equipment）３１が示されている。このようなネットワークにおいて、例えば、マクロｅＮｏｄｅＢ１１は、マクロセル１０内で２ＧＨｚ帯の周波数帯域を使用してＵＥ３１と無線通信する。また、例えば、ピコｅＮｏｄｅＢ２１は、ピコセル２０内で５ＧＨｚ帯の周波数帯域を使用してＵＥ３１と無線通信する。
【００２８】
（ＰＤＣＣＨ）
制御チャネルであるＰＤＣＣＨ（Physical  Downlink  Control  CHannel）では、様々な制御情報が送信される。ＰＤＣＣＨは、サブフレームごとに配置される。以下、この点について図２を参照してより具体的に説明する。
【００２９】
図２は、サブフレームごとに配置されるＰＤＣＣＨを説明するための説明図である。図２を参照すると、周波数帯域（例えば、コンポーネントキャリア）の１サブフレーム分の無線リソースが示されている。即ち、図２には、周波数方向において、周波数帯域の帯域幅（Bandwidth）が示され、時間方向において、１つのサブフレームが示されている。当該帯域幅は、最大で２０ＭＨｚである。また、１サブフレームは、１ミリ秒（ｍｓ）である。１つのサブフレームは、０．５ｍｓの２つのスロットを含み、各スロットは、７つのＯＦＤＭ（Orthogonal  Frequency  Division  Multiplexing）シンボルを含む。そして、１サブフレームの中の最初の１〜３ＯＦＤＭシンボルが、ＰＤＣＣＨであり、残りがＰＤＳＣＨ（Physical  Downlink  Shared  Channel）である。
【００３０】
ＰＤＣＣＨで送信される制御情報の中でも最も重要な制御情報は、スケジューリング情報である。当該スケジューリング情報は、ダウンリンク割当て（Downlink  Assignment）とアップリンク許可（Uplink  grant）とを含む。ダウンリンク割当ては、ダウンリンクのリソースブロック（ＲＢ）のうちのどのＲＢが、ＵＥが受信すべきＲＢであるかを示す。一方、アップリンク許可は、アップリンクのＲＢのうちのどのＲＢが、ＵＥが送信に使用すべきＲＢであるかを示す。スケジューリング情報は、ｅＮｏｄｅＢのＭＡＣ層のスケジューリング機能（即ち、スケジューラ）により決定される。ｅＮｏｄｅＢのスケジューラは、ｅＮｏｄｅＢとＵＥとの間のチャネル状態情報を取得し、当該チャネル状態情報とＵＥへのリソース割当ての公平性を考慮して、各ＵＥに割り当てるリソースブロックを決定する。
【００３１】
（ブラインドコーディング、サーチスペース）
ＵＥは、ＰＤＣＣＨをＣＣＥ（Control  Channel  Element）の単位でデコードする。ＵＥは、どのＣＣＥが自装置宛のＣＣＥであるかを通知されない。そのため、ＵＥは、自装置のＩＤ（Ｃ−ＲＮＴＩ（Cell-Radio  Network  Temporary  Identity））を使用してＣＣＥをデコードし、デコードの成功（ＣＲＣ（Cyclic  Redundancy  Check）エラーがない）時に当該ＣＣＥが自装置宛のＣＣＥであることを知る。このようなデコーディングは、ブラインドデコードディングと呼ばれる。このようなブラインドコーディングにより多数のＣＣＥをデコードすることは、ＵＥにとっての負荷が大きい。
【００３２】
そこで、ＵＥ毎にブラインドデコーディングの領域を限定することにより、ＵＥへの負荷が低減される。この限定された領域は、サーチスペース（Search  Space）と呼ばれる。ＰＤＣＣＨの中は、このようなサーチスペースで区切られている。
【００３３】
（リリース１０のキャリアアグリゲーション）
【００３４】
−コンポーネントキャリア
リリース１０のキャリアアグリゲーションでは、最大で５つのコンポーネントキャリア（ＣＣ：Component  Carrier）が束ねられて、ＵＥにより使用される。各コンポーネントキャリアは、最大２０ＭＨｚ幅の帯域である。キャリアアグリゲーションでは、周波数方向で連続するＣＣが使用される場合と、周波数方向で離れたＣＣが使用される場合とがある。キャリアアグリゲーションでは、使用されるＣＣをＵＥ毎に設定することが可能である。
【００３５】
−プリマリＣＣとセカンダリＣＣ
キャリアアグリゲーションでは、ＵＥにより使用される複数のＣＣのうちの１つが特別なＣＣである。当該１つの特別なＣＣは、プライマリ（Primary）ＣＣ（ＰＣＣ）と呼ばれる。また、上記複数のＣＣのうちの残りは、セカンダリ（Secondary）ＣＣ（ＳＣＣ）と呼ばれる。ＰＣＣは、ＵＥによって異なり得る。以下、この点について図３を参照してより具体的に説明する。
【００３６】
図３は、各ＵＥのＰＣＣの一例を説明するための説明図である。図３を参照すると、ＵＥ３１ａ及びＵＥ３１ｂ、並びに５つのＣＣ１〜５が示されている。この例では、ＵＥ３１ａは、ＣＣ１及びＣＣ２という２つのＣＣを使用している。そして、ＵＥ３１ａは、ＣＣ２をＰＣＣとして使用している。一方、ＵＥ３１ｂは、ＣＣ２及びＣＣ４という２つのＣＣを使用している。そして、ＵＥ３１ｂは、ＣＣ４をＰＣＣとして使用している。このように、各ＵＥは、異なるＣＣをＰＣＣとして使用し得る。
【００３７】
ＰＣＣは、複数のＣＣの中で最も重要なＣＣであるので、通信品質が最も安定しているＣＣであることが望ましい。なお、どのＣＣをＰＣＣとするかは、実際には、どのように実装するかに依存する。
【００３８】
ＵＥが最初に接続を確立するＣＣが、当該ＵＥにとってのＰＣＣである。ＳＣＣは、ＰＣＣに追加される。即ち、ＰＣＣは、主要な周波数帯域であり、ＳＣＣは、補助的な周波数帯域である。ＳＣＣの変更は、既存のＳＣＣの削除と新たなＳＣＣの追加により行われる。ＰＣＣの変更は、従来の周波数間ハンドオーバの手順で行われる。キャリアアグリゲーションでは、ＵＥは、ＳＣＣのみを使用することはできず、必ず１つのＰＣＣを使用する。
【００３９】
なお、ＰＣＣは、プライマリセル（Primary  Cell）と呼ばれることもある。また、ＳＣＣは、セカンダリセル（Secondary  Cell）と呼ばれることもある。
【００４０】
−クロスキャリアスケジューリング
ＣＣには、ＰＤＣＣＨがあるＣＣと、ＰＤＣＣＨがないＣＣとがある。少なくともＰＣＣには、ＰＤＣＣＨが存在する。あるＣＣにＰＤＣＣＨがない場合には、当該ＣＣについての制御情報（スケジューリング情報）は他のＣＣのＰＤＣＣＨで送信される。このような形態は、クロスキャリアスケジューリングと呼ばれる。以下、この点について図４及び図５を参照してより具体的に説明する。
【００４１】
図４は、クロスキャリアスケジューリングが適用されない場合のＣＣの一例を説明するための説明図である。図４を参照すると、ＣＣ１及びＣＣ２の２つのＣＣが示されている。この例では、クロスキャリアスケジューリングが適用されていないので、ＣＣ１及びＣＣ２の両方が、ＰＤＣＣＨを有する。
【００４２】
図５は、クロスキャリアスケジューリングが適用される場合のＣＣの一例を説明するための説明図である。図５を参照すると、ＣＣ１及びＣＣ２の２つのＣＣが示されている。この例では、クロスキャリアスケジューリングが適用され、その結果、ＣＣ１にはＰＤＣＣＨがあるが、ＣＣ２にはＰＤＣＣＨがない。そして、ＣＣ２の制御情報（スケジューリング情報）は、ＣＣ１のＰＤＣＣＨで送信される。
【００４３】
（サーチスペース、ＤＣＩ及びＣＩＦ）
ＰＤＣＣＨの各サーチスペースの中には複数のＤＣＩ（Downlink  Control  Information）が存在する。そして、ＤＣＩの中には、３ビットのＣＩＦ（Carrier  Identity  Field）が存在する。当該ＣＩＦは、他のＣＣを指定する。即ち、ＣＩＦで指定されるＣＣの制御情報が、ＤＣＩの中に存在する。
【００４４】
１つのＣＣは、複数のＣＣにより制御されることはなく、必ず１つのＣＣにより制御される。換言すると、１つのＣＣについての制御情報は、複数のＣＣに分散して配置されることはなく、１つのＣＣに配置される。ＵＥは、ＣＣにＣＩＦがあるか否かを、ＲＲＣシグナリングにより事前に通知される。
【００４５】
（リリース１１のｅＰＤＣＣＨ）
リリース１１では、ＰＤＣＣＨの領域の不足という問題がクローズアップされた。そこで、ｅＰＤＣＣＨ（Enhanced  PDCCH）という新たな制御領域の開拓が行われた。ｅＰＤＣＣＨは、従来のＰＤＳＣＨの領域内に配置されることが決められている。以下、この点について図６を参照してより具体的に説明する。
【００４６】
図６は、サブフレームごとに送信されるｅＰＤＣＣＨの一例を説明するための説明図である。図６を参照すると、図２と同様に、従来のＰＤＣＣＨの領域及びＰＤＳＣＨの領域が示されている。そして、従来のＰＤＳＣＨの領域内に、ｅＰＤＣＣＨが配置される。
【００４７】
＜＜１．２．技術的課題＞＞
次に、上述した技術に関連する技術的課題を説明する。
【００４８】
リリース１２において検討されると予想されるシナリオのように、マクロセルとピコセルとの間で（少なくとも同時には）別々の周波数帯域が使用されるシナリオがあり得る。
【００４９】
しかし、このような場合に、通常、ＵＥは、マクロｅＮｏｄｅＢ及びピコｅＮｏｄｅＢの両方とＲＲＣ接続状態（RRC  Connected）になる。即ち、ＵＥは、マクロｅＮｏｄｅＢとのみではなく、ピコｅＮｏｄｅＢともＲＲＣ接続状態になるために、数十にも及ぶトランザクションをマクロセル及びピコセルの両方において行うことが必要になる。その結果、ＵＥへの負担が大きくなり得る。
【００５０】
また、従来のＵＥは、マクロｅＮｏｄｅＢ及びピコｅＮｏｄｅＢの一方とＲＲＣ接続状態になることはあっても、マクロｅＮｏｄｅＢ及びピコｅＮｏｄｅＢの両方と同時にＲＲＣ接続状態になることはなかった。そのため、ＵＥがマクロｅＮｏｄｅＢ及びピコｅＮｏｄｅＢの両方と同時にＲＲＣ接続状態になる必要がある場合には、ＵＥの後方互換性（Backward  Compatibility）が担保されないことが懸念される。
【００５１】
そこで、本開示の実施形態は、マクロセル及びスモールセルでの無線通信に関するＵＥへの負荷をより小さくすることを可能にする。さらに、本開示の実施形態は、ＵＥの後方互換性を担保することも可能にする。以降、＜＜＜２．無線通信システムの概略的な構成＞＞＞、＜＜＜３．各装置の構成＞＞＞、＜＜＜４．処理の流れ＞＞＞及び＜＜＜５．変形例＞＞＞において、具体的な内容を説明する。
【００５２】
＜＜＜２．無線通信システムの概略的な構成＞＞＞
図７を参照して、本開示の実施形態に係る無線通信システムの概略的な構成を説明する。図７は、本実施形態に係る無線通信システムの概略的な構成の一例を示す説明図である。当該無線通信システムは、例えば、ＬＴＥ−Ａ（LTE  Advanced）に準拠する無線通信システムである。図７を参照すると、無線通信システムは、マクロセル１０のマクロｅＮｏｄｅＢ１００、ピコセル２０のピコｅＮｏｄｅＢ２００、及びＵＥ３００を含む。
【００５３】
（マクロｅＮｏｄｅＢ１００）
マクロｅＮｏｄｅＢ１００は、マクロセル１０内でＵＥ３００と無線通信する。例えば、マクロｅＮｏｄｅＢ１００は、キャリアアグリゲーションを行う。即ち、マクロｅＮｏｄｅＢ１００は、１つのＵＥ３００との無線通信に、複数のコンポーネントキャリア（ＣＣ）を使用することができる。
【００５４】
一例として、マクロセル１０内では、２ＭＨｚ帯のＣＣが、マクロｅＮｏｄｅＢ１００とＵＥ３００との間の無線通信のために使用される。
【００５５】
（ピコｅＮｏｄｅＢ２００）
ピコｅＮｏｄｅＢ２００は、ピコセル２０内でＵＥ３００と無線通信する。ピコセル２０は、マクロセル１０と一部又は全体で重複する。例えば、ピコｅＮｏｄｅＢ２００も、１つのＵＥ３００との無線通信に、複数のコンポーネントキャリア（ＣＣ）を使用することができる。
【００５６】
ピコｅＮｏｄｅＢ２００は、（少なくとも同時には）マクロｅＮｏｄｅＢ１００が使用するＣＣとは別のＣＣを使用する。例えば、ピコセル２０内で使用される周波数帯域は、マクロセル１０内で使用される周波数帯域よりも、より高い周波数帯域である。一例として、ピコセル２０内では、５ＭＨｚ帯のＣＣが、ピコｅＮｏｄｅＢ２００とＵＥ３００との間の無線通信に使用される。
【００５７】
なお、ピコｅＮｏｄｅＢ２００は、例えば、リモートレイディオヘッド（ＲＲＨ）として実装される。より具体的には、例えば、ピコｅＮｏｄｅＢ２００は、主としてアナログ信号処理部分及びアンテナ部分を備え、マクロｅＮｏｄｅＢ１００から光ファイバで張り出される。そして、マクロｅＮｏｄｅＢ１００側に、ピコセルのための通信制御機能が実装される。
【００５８】
（ＵＥ３００）
ＵＥ３００は、マクロセル１０内でマクロｅＮｏｄｅＢ１００と無線通信する。また、ＵＥ３００は、ピコセル２０内でピコｅＮｏｄｅＢ２００と無線通信する。
【００５９】
また、ＵＥ３００は、１つの主要な周波数帯域及び１つ以上の補助的な周波数帯域を使用して無線通信可能である。例えば、ＵＥ３００は、キャリアアグリゲーションで、上記１つの主要な周波数帯域及び上記１つ以上の補助的な周波数帯域を使用する。即ち、ＵＥ３００は、キャリアアグリゲーション対応のＵＥである。より具体的には、上記１つの主要な周波数帯域は、１つのＰＣＣであり、上記１つ以上の補助的な周波数帯域は、１つ以上のＳＣＣである。即ち、ＵＥ３００は、キャリアアグリゲーションで、１つのＰＣＣ及び１つ以上のＳＣＣを使用する。
【００６０】
＜＜＜３．各装置の構成＞＞＞
続いて、図８〜図１１を参照して、マクロｅＮｏｄｅＢ１００、ピコｅＮｏｄｅＢ２００及びＵＥ３００の各々の構成の一例を説明する。
【００６１】
＜＜３．１．マクロｅＮｏｄｅＢの構成＞＞
まず、図８及び図９を参照して、マクロｅＮｏｄｅＢ１００の構成の一例を説明する。図８は、本実施形態に係るマクロｅＮｏｄｅＢ１００の構成の一例を示すブロック図である。図８を参照すると、マクロｅＮｏｄｅＢ１００は、アンテナ部１１０、無線通信部１２０、ネットワーク通信部１３０、記憶部１４０及び制御部１５０を備える。
【００６２】
（アンテナ部１１０）
アンテナ部１１０は、無線信号を受信し、受信された無線信号を無線通信部１２０へ出力する。また、アンテナ部１１０は、無線通信部１２０により出力された送信信号を送信する。
【００６３】
（無線通信部１２０）
無線通信部１２０は、マクロセル１０内に位置するＵＥ３００と無線通信する。無線通信部１２０は、例えば、ＲＦ（Radio  Frequency）回路及びその他の回路を含む。
【００６４】
例えば、無線通信部１２０は、１つ以上のコンポーネントキャリア（ＣＣ）を使用してＵＥ３００と無線通信する。一例として、当該１つ以上のＣＣの各々は、２ＭＨｚ帯のＣＣである。
【００６５】
（ネットワーク通信部１３０）
ネットワーク通信部１３０は、他の装置と通信する。例えば、ネットワーク通信部１３０は、ピコｅＮｏｄｅＢ２００と通信する。ネットワーク通信部１３０は、例えば、いずれかの有線通信のための通信インターフェースを含む。
【００６６】
（記憶部１４０）
記憶部１４０は、マクロｅＮｏｄｅＢ１００の動作のためのプログラム及びデータを記憶する。記憶部１４０は、例えばハードディスク又は半導体メモリ等の記憶媒体を含む。
【００６７】
（制御部１５０）
制御部１５０は、マクロｅＮｏｄｅＢ１００の様々な機能を提供する。例えば、制御部１５０は、ＣＰＵ又はＤＳＰ等のプロセッサに相当し、記憶部１４０又は他の記憶媒体に記憶されるプログラムを実行することにより、上記様々な機能を提供する。制御部１５０は、マクロセル通信制御部１５１及びピコセル通信制御部１５３を含む。
【００６８】
（マクロセル通信制御部１５１）
マクロセル通信制御部１５１は、ＵＥ３００がマクロセル１０内に位置する場合に、ＵＥ３００による無線通信を制御する。
【００６９】
例えば、マクロセル通信制御部１５１は、無線通信部１２０から出力される受信情報の処理を行う。また、マクロセル通信制御部１５１は、送信情報の処理を行い、処理後の送信情報を無線通信部１２０へ出力することにより、無線通信部１２０に送信情報を送信させる。
【００７０】
また、例えば、マクロセル通信制御部１５１は、マクロセル１０内での無線通信のための一般的な制御を行う。一例として、マクロセル通信制御部１５１は、マクロセル１０で使用されるＣＣについてのリソース割当て（即ち、スケジューリング）を行う。
【００７１】
とりわけ本実施形態では、マクロセル通信制御部１５１は、マクロセル１０及びピコセル２０内にＵＥ３００が位置する場合に、マクロセル１０及びピコセル２０の一方で無線通信するための１つ以上のＣＣの１つをＰＣＣとして使用し、他方で無線通信するための１つ以上のＣＣの各々をＳＣＣとして使用するように、ＵＥ３００を制御する。
【００７２】
例えば、マクロセル１０及びピコセル２０の上記一方は、マクロセル１０であり、マクロセル１０及びピコセル２０の上記他方は、ピコセル２０である。即ち、マクロセル通信制御部１５１は、マクロセル１０及びピコセル２０内にＵＥ３００が位置する場合に、マクロセル１０で無線通信するための１つ以上のマクロセル用ＣＣの１つをＰＣＣとして使用し、ピコセル２０で無線通信するための１つ以上のピコセル用ＣＣの各々をＳＣＣとして使用するように、ＵＥ３００を制御する。また、例えば、マクロセル通信制御部１５１は、上記１つ以上のマクロセル用周波数帯域が複数のマクロセル用周波数帯域を含む場合に、上記１つ以上のマクロセル用周波数帯域のうちの残りを上記補助的な周波数帯域として使用するように、ＵＥ３００を制御する。なお、マクロセル用ＣＣ／ピコセル用ＣＣは、マクロセル１０／ピコセル２０での無線通信のためにＵＥ３００により使用されるＣＣを意味する。また、マクロセル１０／ピコセル２０で使用されるＣＣ（又は使用可能なＣＣ）は、ＵＥ３００により使用されるＣＣに限られず、他のＵＥにより使用されるＣＣ（又は使用可能なＣＣ）も含まれる。以下、上述したＣＣの使用の制御について図９を参照して具体例を説明する。
【００７３】
図９は、本実施形態係る制御によるＵＥ３００のＣＣの使用の一例を説明するための説明図である。図９を参照すると、ＵＥ３００と、ＵＥ３００により使用される５つのＣＣとが示されている。５つのＣＣのうちのＣＣ１及びＣＣ２は、マクロセル１０で無線通信するためのマクロセル用ＣＣである。また、５つのＣＣのうちのＣＣ３、ＣＣ４及びＣＣ５は、ピコセル２０で無線通信するためのピコセル用ＣＣである。このように、ＵＥ３００は、キャリアアグリゲーションで、これらのマクロセル用ＣＣ及びピコセル用ＣＣを同時に使用して、マクロｅＮｏｄｅＢ及びピコｅＮｏｄｅＢの両方と無線通信する。
【００７４】
また、図９に示される例では、ＵＥ３００により使用される５つのＣＣのうちの、マクロセル用ＣＣであるＣＣ１が、ＰＣＣとしてＵＥ３００により使用される。このように、マクロセル用ＣＣの１つがＰＣＣとして使用され、ピコセル用ＣＣの各々がＳＣＣとして使用される。
【００７５】
以上のように、マクロセル通信制御部１５１は、ＵＥ３００に、マクロセル用ＣＣ及びピコセル用ＣＣをキャリアアグリゲーションで使用させる。
【００７６】
より具体的な制御として、例えば、第１に、マクロセル通信制御部１５１は、従来のキャリアアグリゲーションと同様の手続きにより、ＵＥ３００に、マクロセル１０で使用可能なＣＣをＰＣＣとして使用させる。具体的には、例えば、マクロセル通信制御部１５１は、マクロセル１０で使用可能なＣＣへのＵＥ３００によるランダムアクセスに応じて、ＵＥ３００とマクロｅＮｏｄｅＢ１００との接続手続きを実行することにより、ＵＥ３００をＲＲＣ接続状態にする。その結果、上記ＣＣは、ＰＣＣとなる。そして、当然ながら、マクロセル通信制御部１５１は、無線通信部１２０に、ＰＣＣとして使用されるマクロセル用ＣＣではＰＣＣの制御信号を送受信させる。
【００７７】
また、例えば、第２に、マクロセル通信制御部１５１は、従来のキャリアアグリゲーションと同様の手続きにより、ＵＥ３００に、マクロセル１０で使用可能なＣＣをＳＣＣとして使用させる。具体的には、例えば、マクロセル通信制御部１５１は、マクロセル１０で使用可能なＣＣについてＵＥ３００に通信品質を測定させ、測定結果を取得する。そして、マクロセル通信制御部１５１は、測定結果（及びその他の情報）に基づいて、マクロセル１０でＵＥ３００が使用するＣＣを決定する。その後、マクロセル通信制御部１５１は、無線通信部１２０を介して、決定されたＣＣをＳＣＣとして使用するようにＵＥ３００に指示する。その結果、ＵＥ３００は、マクロセル１０で使用可能な上記ＣＣをＳＣＣとして使用するようになる。そして、当然ながら、マクロセル通信制御部１５１は、無線通信部１２０に、ＳＣＣとして使用されるマクロセル用ＣＣではＳＣＣの制御信号を送受信させる。
【００７８】
そして、例えば、第３に、マクロセル通信制御部１５１は、ＵＥ３００に、ピコセル２０で使用可能なＣＣをＳＣＣとして使用させる。具体的には、例えば、マクロセル通信制御部１５１は、無線通信部１２０を介して、ピコセル２０で使用可能なＣＣについてＵＥ３００に通信品質を測定させ、測定結果を取得する。そして、マクロセル通信制御部１５１は、測定結果に基づいて、ピコセル２０で使用可能なＣＣの中からＣＣを選択する。例えば、通信品質が良好であるＣＣが選択される。そして、選択されたＣＣについての使用がピコセル通信制御部１５３により許可されると、マクロセル通信制御部１５１は、当該ＣＣを、ピコセル２０で使用するＣＣとして決定する。その後、マクロセル通信制御部１５１は、無線通信部１２０を介して、決定されたＣＣをＳＣＣとして使用するようにＵＥ３００に指示する。その結果、ＵＥ３００は、ピコセル２０で使用可能な上記ＣＣをＳＣＣとして使用するようになる。
【００７９】
このようなマクロセル用ＣＣ及びピコセル用ＣＣのキャリアアグリゲーションにより、ＵＥ３００は、マクロセル用ＣＣをＰＣＣ（又はＳＣＣ）として使用し、ピコセル用ＣＣをＳＣＣとして使用することができる。そのため、ＵＥは、ピコセル２０で使用可能なＣＣをＵＥ３００のピコセル用ＣＣとして使用するために、当該ＣＣにおいてＲＲＣ接続状態になるための多数の（例えば数十にも及ぶ）トランザクションを行わなくてもよい。例えば、ＵＥは、ＲＲＣ接続状態になるために通常行われる多数のトランザクションのうちの、ランダムアクセスチャネルでのタイミングアドバンス値の取得を行い、当該多数のトランザクションのうちの残りを行わない。このように、マクロセル１０及びピコセル２０での無線通信に関するＵＥ３００の負荷を小さくすることが可能になる。
【００８０】
また、マクロセル用ＣＣ及びピコセル用ＣＣのキャリアアグリゲーションにより、ＵＥ３００はマクロｅＮｏｄｅＢ１００及びピコｅＮｏｄｅＢ２００の両方とＲＲＣ接続状態になる必要がないので、ＵＥの後方互換性が担保され得る。
【００８１】
また、マクロセル用ＣＣ及びピコセル用ＣＣのキャリアアグリゲーションにより、いずれのピコセル用ＣＣもＳＣＣとして使用される。また、ＳＣＣでは、ＰＣＣと比べて、送信すべき制御信号がより少ない。よって、ピコセル用ＣＣで送信すべき制御信号は、よりも少なくなる。その結果、ピコセル２０でのスループットが上昇し得る。
【００８２】
例えば、上記ピコセル用ＣＣの各々は、ＰＣＣとして使用されない。即ち、ピコセル用ＣＣの各々の使用は、ＳＣＣとしての使用に限られる。よって、ピコセル用ＣＣで送信すべき制御信号は、常により少なくなる。その結果、ピコセル２０でのスループットが上昇し得る。
【００８３】
また、上述したように、マクロセル用ＣＣ及びピコセル用ＣＣのキャリアアグリゲーションにおいて、マクロセル用ＣＣがＰＣＣとして使用される。これにより、ＵＥ３００がマクロセル内に位置する限り、ＵＥ３００がピコセル２０に出入りしたとしても、ＰＣＣを周波数間ハンドオーバにより変更する必要はなく、ＳＣＣの追加又は削除を行えばよい。よって、ＰＣＣの周波数間ハンドオーバをより少なくすることができる。その結果、ＵＥ３００への負担が小さくなる。
【００８４】
（ピコセル通信制御部１５３）
ピコセル通信制御部１５３は、ＵＥ３００がピコセル２０内に位置する場合に、ＵＥ３００によるピコセル２０内での無線通信を制御する。
【００８５】
例えば、ピコセル通信制御部１５３は、ネットワーク通信部１３０を介して、ピコｅＮｏｄｅＢ２００から受信情報を取得し、当該受信情報の処理を行う。また、ピコセル通信制御部１５３は、送信情報の処理を行い、ネットワーク通信部１３０を介して処理後の送信情報をピコｅＮｏｄｅＢ２００に提供することにより、ピコｅＮｏｄｅＢ２００に送信情報を送信させる。
【００８６】
また、例えば、ピコセル通信制御部１５３は、ピコセル２０内での無線通信のための一般的な制御を行う。一例として、ピコセル通信制御部１５３は、ピコセル２０で使用されるＣＣについてのリソース割当て（即ち、スケジューリング）を行う。
【００８７】
とりわけ本実施形態では、例えば、ピコセル通信制御部１５３は、ＵＥ３００が、マクロセル１０及びピコセル２０内に位置し、マクロセル１０で無線通信するための１つ以上のマクロセル用ＣＣの１つをＰＣＣとして使用する場合に、ピコセル２０で無線通信するための１つ以上のピコセル用ＣＣの各々をＳＣＣとして使用するように、ＵＥ３００を制御する。
【００８８】
より具体的な制御として、例えば、マクロセル通信制御部１５１が、ピコセル２０で使用するためのＣＣを選択すると、ピコセル通信制御部１５３は、選択されたＣＣがＵＥ３００のために使用可能かを判定する。そして、ピコセル通信制御部１５３は、選択されたＣＣがＵＥ３００のために使用可能であれば、当該ＣＣの使用に対する許可をマクロセル通信制御部１５１に通知する。その結果、ＵＥ３００は、ピコセル用ＣＣをＳＣＣとして使用するようになる。
【００８９】
また、例えば、ピコセル通信制御部１５３は、ピコｅＮｏｄｅＢ２００に、ピコ用ＣＣでＳＣＣの制御信号を送受信させる。これにより、ＵＥ３００は、ピコセル用ＣＣをＳＣＣとして実際に使用する。
【００９０】
＜＜３．２．ピコｅＮｏｄｅＢの構成＞＞
次に、図１０を参照して、ピコｅＮｏｄｅＢ２００の構成の一例を説明する。図１０は、本実施形態に係るピコｅＮｏｄｅＢ２００の構成の一例を示すブロック図である。図１０を参照すると、ピコｅＮｏｄｅＢ２００は、アンテナ部２１０、無線通信部２２０、ネットワーク通信部２３０、記憶部２４０及び制御部２５０を備える。上述したように、例えば、ピコｅＮｏｄｅＢ２００は、リモートレイディオヘッド（ＲＲＨ）である。
【００９１】
（アンテナ部２１０）
アンテナ部２１０は、無線信号を受信し、受信された無線信号を無線通信部２２０へ出力する。また、アンテナ部２１０は、無線通信部２２０により出力された送信信号を送信する。
【００９２】
（無線通信部２２０）
無線通信部２２０は、ピコセル２０内に位置するＵＥ３００と無線通信する。無線通信部２２０は、例えば、ＲＦ回路及びその他の回路を含む。
【００９３】
例えば、無線通信部２２０は、１つ以上のコンポーネントキャリア（ＣＣ）を使用してＵＥ３００と無線通信する。一例として、当該１つ以上のＣＣの各々は、５ＭＨｚ帯のＣＣである。
【００９４】
（ネットワーク通信部２３０）
ネットワーク通信部２３０は、他の装置と通信する。例えば、ネットワーク通信部２３０は、マクロｅＮｏｄｅＢ１００と通信する。ネットワーク通信部２３０は、例えば、いずれかの有線通信のための通信インターフェースを含む。
【００９５】
（記憶部２４０）
記憶部２４０は、ピコｅＮｏｄｅＢ２００の動作のためのプログラム及びデータを記憶する。記憶部２４０は、例えばハードディスク又は半導体メモリ等の記憶媒体を含む。
【００９６】
（制御部２５０）
制御部２５０は、ピコｅＮｏｄｅＢ２００の機能を提供する。とりわけ、本実施形態では、制御部２５０は、ピコｅＮｏｄｅＢ２００をＲＲＨとして動作するための制御を行う。
【００９７】
例えば、制御部２５０は、ネットワーク通信部２３０を介して、マクロｅＮｏｄｅＢ１００（ピコセル通信制御部１５３）から、ピコセル２０のＣＣについてのスケジューリング情報（ダウンリンク割当て情報）を取得する。そして、制御部２５０は、当該スケジューリング情報に基づいて、送信情報を無線通信部２２０に送信させる。
【００９８】
また、例えば、制御部２５０は、ｅＮｏｄｅＢ２００とＵＥ３００との間のチャネル状態情報を取得し、無線通信部２２０に、マクロｅＮｏｄｅＢ１００へ送信させる。
【００９９】
以上、ピコｅＮｏｄｅＢ２００の構成の一例を説明した。上述したように、本実施形態において、ピコｅＮｏｄｅＢ２００は、例えばＲＲＨである。これは、ピコセル２０で使用されるＣＣについてのスケジューリング情報を、マクロセル１０を使用して遅延なく送信するためである。
【０１００】
より具体的に説明すると、ピコｅＮｏｄｅＢ２００とＵＥ２００との間のチャネル状態は、数ｍｓ〜１０ｍｓのオーダーで変動するので、チャネル状態をスケジューラの判断に的確に反映するためには、チャネル状態情報の取得後の遅延は許容できない。したがって、ＲＲＨではないｅＮｏｄｅＢ２００がスケジューリング等の制御を行うようなシナリオでは、マクロｅＮｏｄｅＢ１００が、ピコｅＮｏｄｅＢ２００のスケジューリング情報をハンドリングすることは時間の観点から容易ではない。そこで、ピコｅＮｏｄｅＢがＲＲＨとし、マクロｅＮｏｄｅＢに制御機能を集約する。ことにより、ピコセル２０で使用されるＣＣについてのスケジューリング情報が、マクロセル１０を使用して遅延なく送信され得る。
【０１０１】
＜＜３．３．ＵＥの構成＞＞
次に、図１１を参照して、ＵＥ３００の構成の一例を説明する。図１１は、本実施形態に係るＵＥ３００の構成の一例を示すブロック図である。図１１を参照すると、ＵＥ３００は、アンテナ部３１０、無線通信部３２０、記憶部３３０及び制御部３４０を備える。
【０１０２】
（アンテナ部３１０）
アンテナ部３１０は、無線信号を受信し、受信された無線信号を無線通信部３２０へ出力する。また、アンテナ部３１０は、無線通信部３２０により出力された送信信号を送信する。
【０１０３】
（無線通信部３２０）
無線通信部３２０は、マクロセル１０で無線通信するための１つ以上のマクロセル用ＣＣを使用してマクロセル１０内で無線通信する。即ち、無線通信部３２０は、上記１つ以上のマクロセル用ＣＣを使用して、マクロセル１０内でマクロｅＮｏｄｅＢ１００と無線通信する。
【０１０４】
また、無線通信部３２０は、ピコセル２０で無線通信するための１つ以上のピコセル用ＣＣを使用してピコセル２０内で無線通信する。即ち、無線通信部３２０は、上記１つ以上のピコセル用ＣＣを使用して、ピコセル２０内でピコｅＮｏｄｅＢ２００と無線通信する。
【０１０５】
なお、無線通信部３２０は、例えば、ＲＦ回路及びその他の回路を含む。
【０１０６】
（記憶部３３０）
記憶部３３０は、ＵＥ３００の動作のためのプログラム及びデータを記憶する。記憶部３３０は、例えばハードディスク又は半導体メモリ等の記憶媒体を含む。
【０１０７】
（制御部３４０）
制御部３４０は、ＵＥ３００の様々な機能を提供する。例えば、制御部３４０は、ＣＰＵ又はＤＳＰ等のプロセッサに相当し、記憶部３３０又は他の記憶媒体に記憶されるプログラムを実行することにより、上記様々な機能を提供する。
【０１０８】
例えば、制御部３４０は、無線通信部３２０から出力される受信情報の処理を行う。また、制御部３４０は、送信情報の処理を行い、処理後の送信情報を無線通信部３２０へ出力することにより、無線通信部３２０に送信情報を送信させる。
【０１０９】
また、制御部３４０は、無線通信のための一般的な制御を行う。一例として、マクロセル通信制御部１５１は、マクロセル１０で使用可能なＣＣ及びピコセル２０で使用可能なＣＣについての通信品質を測定し、無線通信部３２０を介して、測定結果をマクロｅＮｏｄｅＢ１００へ提供する。また、別の例として、制御部３４０は、ＵＥ３００のためのリソースが割当てられない場合に、無線通信部３２０に、制御チャネル（具体的には、ＰＵＣＣＨ（Physical  Uplink  Control  CHannel））上でスケジューリング要求を送信させる。
【０１１０】
とりわけ本実施形態では、例えば、制御部３４０は、上記１つ以上のマクロセル用周波数帯域の１つをＰＣＣとして使用し、上記１つ以上のスモールセル用周波数帯域の各々をＳＣＣとして使用する。
【０１１１】
具体的には、例えば、制御部３４０は、無線通信部３２０を介して、マクロセル１０で使用可能なＣＣへのランダムアクセスを行い、マクロｅＮｏｄｅＢ１００との接続手続きを実行する。そして、ＵＥ３００は、ＲＲＣ接続状態になり、上記ＣＣは、ＰＣＣとなる。即ち、ＵＥ３００は、マクロセル用ＣＣをＰＣＣとして使用するようになる。そして、当然ながら、制御部３４０は、無線通信部３２０に、ＰＣＣとして使用されるマクロセル用ＣＣでＰＣＣの制御信号を送受信させる。
【０１１２】
また、例えば、ＵＥ３００が、マクロｅＮｏｄｅＢ１００により、ピコセルで使用可能なＣＣを使用するように指示されると、制御部３４０は、ＰＣＣとして使用されているマクロセル用ＣＣを経由して、上記ＣＣをＳＣＣとしてアクティベートする。即ち、ＵＥ３００は、ＰＣＣを経由して、ＮＡＳ（Non-Access  Stratum）シグナリングで、上記ＣＣをＳＣＣとして使用することをＭＭＣ（Mobility  Management  Node）に宣言することにより、上記ＣＣをＳＣＣとしてアクティベートする。そして、当然ながら、制御部３４０は、無線通信部３２０に、ＳＣＣとして使用されるピコセル用ＣＣでＰＣＣの制御信号を送受信させる。
【０１１３】
＜＜＜４．処理の流れ＞＞＞
続いて、図１２を参照して、本実施形態に係る通信制御処理の一例を説明する。図１２は、本実施形態に係る通信制御処理の概略的な流れの一例を示すシーケンス図である。
【０１１４】
まず、ステップＳ４０１で、ＵＥ３００は、マクロｅＮｏｄｅＢ１００とＲＲＣ接続状態になっている。即ち、ＵＥ３００は、ＵＥ３００のマクロセル用ＣＣのうちの１つをＰＣＣとして使用している。
【０１１５】
次に、ステップＳ４０３で、マクロｅＮｏｄｅＢ１００のマクロセル通信制御部１５１は、ピコセル２０で使用可能なＣＣをＵＥ３００に通知する。
【０１１６】
そして、ステップＳ４０５で、ＵＥ３００は、ピコセル２０で使用可能なＣＣでの通信品質を測定する。そして、ステップＳ４０７で、ＵＥ３００は、測定結果をマクロｅＮｏｄｅＢ１００へ送信する。
【０１１７】
ステップＳ４０９で、マクロｅＮｏｄｅＢ１００のマクロセル通信制御部１５１は、測定結果に基づいて、ピコセル２０で使用可能なＣＣの中からＣＣを選択する。そして、ステップＳ４１１で、マクロセル通信制御部１５１は、ピコセル２０での使用のために選択されたＣＣを、ピコセル通信制御部１５３に通知する。
【０１１８】
ステップＳ４１３で、マクロｅＮｏｄｅＢ１００のピコセル通信制御部１５３は、選択されたＣＣが使用可能かを判定する。そして、ステップＳ４１５で、ピコセル通信制御部１５３は、選択されたＣＣが使用可能であれば、当該ＣＣの使用に対する許可をマクロセル通信制御部１５１に通知する。
【０１１９】
ステップＳ４１７で、マクロｅＮｏｄｅＢ１００のマクロセル通信制御部１５１は、選択されたＣＣを、ピコセルで使用するＣＣとして決定する。そして、ステップＳ４１９で、マクロセル通信制御部１５１は、決定されたＣＣを使用するように、ＵＥ３００に指示する。
【０１２０】
ステップＳ４２１で、ＵＥ３００は、ＰＣＣとして使用されているマクロセル用ＣＣを経由して、マクロｅＮｏｄｅＢにより決定された対象のＣＣをＳＣＣとしてアクティベートする。即ち、ＵＥ３００は、ＰＣＣを経由して、ＮＡＳシグナリングで、対象のＣＣをＳＣＣとして使用することをＭＭＣに宣言することにより、対象のＣＣをＳＣＣとしてアクティベートする。
【０１２１】
以上のように通信制御処理が実行される。なお、例えば、ステップＳ４０５〜ステップＳ４２１のうちの一部又は全体は、繰り返し実行される。
【０１２２】
＜＜＜５．変形例＞＞＞
続いて、図１３〜図２０を参照して、本実施形態に係る第１〜第４の変形例を説明する。
【０１２３】
＜＜５．１．第１の変形例＞＞
まず、図１３及び図１４を参照して、本実施形態に係る第１の変形例を説明する。
【０１２４】
＜５．１．１．概略＞
第１の変形例では、上述したマクロ用ＣＣ及びピコ用ＣＣのキャリアアグリゲーションにおいて、クロスキャリアスケジューリングが適用される。そして、マクロセル用ＣＣがクロスキャリアスケジューリングのアンカーポイントになる。
【０１２５】
より具体的には、上記１つ以上のピコセル用ＣＣの各々についてのリソース割当て情報（スケジューリング情報）は、上記１つ以上のマクロセル用ＣＣのうちのいずれかのマクロセル用ＣＣを使用して送信される。即ち、マクロセル１０で使用されるＣＣには、スケジューリング情報を送信するためのＰＤＣＣＨが配置されるが、ピコセル２０で使用されるＣＣには、ＰＤＣＣＨは配置されない。そして、ピコセル２０で使用されるＣＣについてのスケジューリング情報は、マクロセル１０で使用されるＣＣのＰＤＣＣＨ上で送信される。以下、この点について図１３を参照して具体例を説明する。
【０１２６】
図１３は、本実施形態の第１の変形例係るＰＤＣＣＨの送信の一例を説明するための説明図である。図１３を参照すると、図９で示される例と同様に、ＵＥ３００と、ＵＥ３００により使用される５つのＣＣとが示されている。５つのＣＣのうちのＣＣ１及びＣＣ２は、ＵＥ３００がマクロセル１０で無線通信するためのマクロセル用ＣＣである。また、５つのＣＣのうちのＣＣ３、ＣＣ４及びＣＣ５は、ＵＥ３００がピコセル２０で無線通信するためのピコセル用ＣＣである。図１３に示される例では、図９で示される例と異なり、クロスキャリアスケジューリングが適用されている。より具体的には、マクロセル用ＣＣであるＣＣ１及びＣＣ２には、ＰＤＣＣＨが配置されているが、ピコセル用ＣＣであるＣＣ３、ＣＣ４及びＣＣ５には、ＰＤＣＣＨが配置されていない。そして、ＣＣ３及びＣＣ４についてのスケジューリング情報は、ＣＣ１のＰＤＣＣＨ上で送信される。また、ＣＣ５についてのスケジューリング情報は、ＣＣ２のＰＤＣＣＨ上で送信される。
【０１２７】
このように、本実施形態の第１の変形例によれば、ピコセル２０で使用されるＣＣにおいてＰＤＣＣＨをなくすことができる。よって、ピコセル２０側の制御をより簡略化することができる。また、ＵＥ３００は、ＵＥ３００のマクロセル用ＣＣ（例えば、２ＧＨｚ帯）についてのＰＤＣＣＨのモニタリングを行えばよく、ＵＥ３００のピコセル用ＣＣ（例えば、５ＧＨｚ帯）についてのＰＤＣＣＨのモニタリングを行う必要はない。よって、ＵＥ３００の負荷を小さくすることができる。
【０１２８】
＜５．１．２．各装置の構成＞
次に、本実施形態の第１の変形例に係る各装置の構成を説明する。ここでは、図８、図１０及び図１１を参照して既に説明した内容からの変更点のみを説明する。
（マクロｅＮｏｄｅＢ１００）
−マクロセル通信制御部１５１
マクロセル通信制御部１５１は、無線通信部１２０に、ピコセル２０で使用されるＣＣについてのリソース割当て情報（スケジューリング情報）を、マクロセル１０で使用されるＣＣを使用して送信させる。より具体的には、マクロセル通信制御部１５１は、ピコセル通信制御部１５３から、ピコセルで使用されるＣＣのスケジューリング情報を取得する。そして、マクロセル通信制御部１５１は、マクロセル１０で使用されるＣＣのＰＤＣＣＨ上で、上記スケジューリング情報を送信する。
【０１２９】
また、マクロセル通信制御部１５１は、無線通信部１２０を介して、クロスキャリアスケジューリングの対象のＣＣをＵＥ３００に通知する。例えば、マクロセル通信制御部１５１は、上記対象のＣＣをＲＲＣシグナリングでＵＥ３００に通知する。
【０１３０】
−ピコセル通信制御部１５３
ピコセル通信制御部１５３は、ピコｅＮｏｄｅＢ２００に、ピコセル２０で使用される１つ以上のＣＣについてのリソース割当て情報（スケジューリング情報）を送信させない。その代わりに、ピコセル通信制御部１５３は、上記スケジューリング情報をマクロセル通信制御部１５１に提供する。その結果、上記スケジューリング情報は、マクロセル１０で使用されるＣＣのＰＤＣＣＨ上で送信される。
【０１３１】
（ＵＥ３００）
−制御部３４０
１つ以上のピコセル用ＣＣの各々についてのリソース割当て情報（スケジューリング情報）は、１つ以上のマクロセル用ＣＣを使用して無線通信部３２０により受信される。より具体的には、上記リソース割当て情報は、マクロセル用ＣＣのＰＤＣＣＨ上で受信される。そして、制御部３４０は、当該リソース割当て情報を取得する。
【０１３２】
また、マクロセル用ＣＣ及びピコセル用ＣＣのリソース割当て情報は、１つ以上のピコセル用ＣＣを使用して無線通信部３２０により受信されない。そのため、制御部３４０は、１つ以上のピコセル用ＣＣを使用して受信される情報から、リソース割当て情報を取得しない。なお、クロスキャリアスケジューリングの対象のＣＣ（ピコセル用ＣＣを含む）は、マクロｅＮｏｄｅＢ１００により通知される。
【０１３３】
＜５．１．３．処理の流れ＞
次に、図１４を参照して、本実施形態の第１の変形例に係る通信制御処理の一例を説明する。図１４は、本実施形態の第１の変形例に係る通信制御処理の概略的な流れの一例を示すシーケンス図である。
【０１３４】
ステップＳ５０１で、マクロｅＮｏｄｅＢ１００のマクロセル通信制御部１５１は、クロスキャリアスケジューリングの対象のＣＣをＵＥ３００に通知する。
【０１３５】
ステップＳ５０３で、マクロｅＮｏｄｅＢ１００のマクロセル通信制御部１５１は、マクロセル１０で使用されるＣＣについてのスケジューリングを行う。
【０１３６】
また、ステップＳ５０５で、マクロｅＮｏｄｅＢ１００のピコセル通信制御部１５３は、ピコセル２０で使用されるＣＣについてのスケジューリングを行う。そして、ピコセル通信制御部１５３は、スケジューリング情報をマクロセル通信制御部１５１に提供する。
【０１３７】
そして、ステップＳ５０９で、マクロｅＮｏｄｅＢ１００のマクロセル通信制御部１５１は、無線通信部１２０に、マクロセル１０で使用されるＣＣのＰＤＣＣＨ上で、マクロセル１０についてのスケジューリング情報及びピコセル２０についてのスケジューリング情報を送信する。
【０１３８】
その後、ステップＳ５１１で、ＵＥ３００の制御部３４０は、マクロセル１０についてのスケジューリング情報、及びピコセル２０についてのスケジューリング情報を取得する。そして、ステップＳ５１３で、制御部３４０は、スケジューリング情報に基づいて無線通信制御を行う。即ち、制御部３４０は、ＵＥ３００についてのダウンリンク割当て情報に従って、ＵＥ３００宛の情報を取得する。また、ＵＥ３００についてのアップリンク許可情報に従って、無線通信部３２０に情報を送信させる。
【０１３９】
＜＜５．２．第２の変形例＞＞
次に、図１５〜図１７を参照して、本実施形態に係る第２の変形例を説明する。
【０１４０】
＜５．２．１．概略＞
第２の変形例では、第１の変形例と同様に、上述したマクロセル用ＣＣ及びピコセル用ＣＣのキャリアアグリゲーションにおいて、クロスキャリアスケジューリングが適用される。そして、マクロセル用ＣＣが、クロスキャリアスケジューリングのアンカーポイントになる。そして、とりわけ第２の変形例では、マクロセル１０で使用されるＣＣを指定する従来のＣＩＦ（以下、「Ｌ（Legacy）−ＣＩＦ」と呼ぶ）、又はピコセル２０で使用されるＣＣを指定するＣＩＦ（以下、「Ｎ（New）−ＣＩＦ」と呼ぶ）が送信される。また、Ｌ−ＣＩＦ又はＮ−ＣＩＦのいずれが送信されるかが、ＵＥ３００に通知される。
【０１４１】
ＵＥ３００の１つ以上のピコセル用ＣＣのリソース割当て情報（スケジューリング情報）が、ＵＥ３００のいずれかのマクロセル用ＣＣを使用して送信される。この場合に、ピコセル２０内で使用可能なＣＣのうちのいずれのＣＣが上記リソース割当て情報の対象かを示すピコセルＣＣ識別情報（即ち、Ｎ−ＣＩＦ）も、上記いずれのＣＣを使用して送信される。また、上記いずれかのマクロセル用ＣＣを使用して上記スモールセル帯域識別情報（即ち、Ｎ−ＣＩＦ）が送信されることは、ＵＥ３００に通知される。以下、この点について図１５を参照して具体例を説明する。
【０１４２】
図１５は、本実施形態の第２の変形例係るＮ−ＣＩＦの一例を説明するための説明図である。図１５を参照すると、図１３に示される例と同様に、ＵＥ３００と、ＵＥ３００により使用される５つのＣＣとが示されている。クロスキャリアスケジューリングが適用されているので、マクロセル用ＣＣであるＣＣ１及びＣＣ２には、ＰＤＣＣＨが配置されているが、ピコセル用ＣＣであるＣＣ３、ＣＣ４及びＣＣ５には、ＰＤＣＣＨが配置されていない。そして、ＣＣ３及びＣＣ４についてのスケジューリング情報は、ＣＣ１のＰＤＣＣＨ上で送信される。そして、ピコセル用ＣＣであるＣＣ３及びＣＣ４を指定するＮ−ＣＩＦも、ＣＣ１のＰＤＣＣＨ上で送信される。また、ＣＣ５についてのスケジューリング情報は、マクロセル用ＣＣであるＣＣ１のＰＤＣＣＨ上で送信される。そして、ピコセル用ＣＣであるＣＣ５を指定するＮ−ＣＩＦも、ＣＣ２のＰＤＣＣＨ上で送信される。このように、ピコセル用ＣＣのスケジューリング情報が、アンカーポイントとなるマクロセル用ＣＣ上で送信される場合に、上記ピコセル用ＣＣを指定するＮ−ＣＩＦが送信される。そして、ＵＥ３００のスケジューリング情報に対応するＣＩＦがＬ−ＣＩＦではなくＮ−ＣＩＦであることは、ＲＲＣシグナリングにより、ＵＥ３００に予め通知される。
【０１４３】
このような本実施形態の第２の変形例には利点がある。
【０１４４】
具体的に説明すると、従来のマクロセル１０で使用されるＣＣについてのクロスキャリアスケジューリングでは、あくまでマクロセル１０で使用されるＣＣを指定する３ビットのＣＩＦが送信されていた。さらに、マクロセル１０で使用されるＣＣ及びピコセル２０で使用されるＣＣについてのクロスキャリアスケジューリングでは、ＣＩＦは、ピコセル２０で使用されるＣＣを指定することも必要になる。しかし、従来のＣＩＦは、３ビットであるため、ピコセル２０で使用されるＣＣも指定するにはビット数が足りない。ＣＩＦのビット数を増やすことは、無線リソースの有効利用及び後方互換性の観点から望ましくない。
【０１４５】
そこで、本実施形態の第２の変形例のように、ピコセルで使用されるＣＣのうちのキャリアアグリゲーション対象のＣＣを識別するためのＮ−ＣＩＦが、ＵＥ３００のマクロセル用ＣＣを使用して送信される。また、当該マクロセル用ＣＣを使用してＮ−ＣＩＦが送信されることが、ＵＥ３００に通知される。このようなＮ−ＣＩＦの送信の通知により、ＵＥ３００は、送信されるＣＩＦがＮ−ＣＩＦであること（即ち、送信されるＣＩＦがピコセルで使用されるＣＣを指定すること）を知ることができる。よって、ＣＩＦのビット数を増やさなくともよくなる。その結果、無線リソースが有効に利用され、後方互換性も担保され得る。
【０１４６】
＜５．２．２．各装置の構成＞
次に、本実施形態の第２の変形例に係る各装置の構成を説明する。ここでは、図８、図１０及び図１１を参照して既に説明した内容からの変更点のみを説明する。
（マクロｅＮｏｄｅＢ１００）
−マクロセル通信制御部１５１
例えば、ＵＥ３００のピコセル用ＣＣのリソース割当て情報（スケジューリング情報）が、ＵＥ３００のいずれかのマクロセル用ＣＣを使用して送信される。この場合に、マクロセル通信制御部１５１は、無線通信部１２０に、ピコセルで使用可能なＣＣのうちのいずれのＣＣが上記リソース割当て情報の対象かを示すＮ−ＣＩＦを上記いずれかのマクロセル用ＣＣを使用して送信させる。
【０１４７】
より具体的には、Ｎ−ＣＩＦは、上記いずれかのマクロセル用ＣＣを使用して送信される場合に、当該いずれかのマクロセル用ＣＣを使用して送信されるＵＥ３００用の制御情報に含まれる。当該制御情報は、例えば、ＤＣＩ（Downlink  Control  Information）である。
【０１４８】
また、マクロセル通信制御部１５１は、無線通信部１２０を介して、上記いずれかのマクロセル用ＣＣを使用してＮ−ＣＩＦが送信されることをＵＥ３００に通知する。例えば、マクロセル通信制御部１５１は、無線通信部１２０を介して、ＲＲＣシグナリングにより通知する。
【０１４９】
また、上記Ｎ−ＣＩＦが上記いずれかのマクロセル用ＣＣを使用して送信される場合に、マクロセル１０内で使用可能な周波数帯域のうちのいずれのＣＣがＵＥ３００のリソース割当て情報の対象かを示すマクロセルＣＣ識別情報（即ち、Ｌ−ＣＩＦ）は、上記いずれかのマクロセル用ＣＣを使用して送信されない。即ち、マクロセル通信制御部１５１は、無線通信部１２０に、上記いずれかのマクロセル用ＣＣを使用して上記Ｎ−ＣＩＦを送信させる場合に、無線通信部１２０に、上記いずれかのマクロセル用ＣＣを使用して上記Ｌ−ＣＩＦを送信させない。
【０１５０】
より具体的には、Ｎ−ＣＩＦが、上記いずれかのマクロセル用ＣＣを使用して送信されるＵＥ３００用の制御情報に含まれる場合に、Ｌ−ＣＩＦは、当該制御情報に含まれない。当該制御情報は、例えばＤＣＩである。
【０１５１】
仮に、ＵＥ３００のためのＮ−ＣＩＦとＵＥ３００のためのＬ−ＣＩＦが同じマクロセル用ＣＣ（より具体的には、同じＤＣＩ）で送信されると、ＵＥ３００は、Ｌ−ＣＩＦとＮ−ＣＩＦとを区別しなければならない。しかし、上述したように、ＵＥ３００のためのＮ−ＣＩＦとＵＥ３００のためのＬ−ＣＩＦが同じマクロセル用ＣＣ（より具体的には、同じＤＣＩ）で送信されなければ、ＵＥ３００は両者を区別する必要がなくなる。よって、区別のためのビットを新たに設ける必要もないので、無線リソースが有効に利用され、後方互換性も担保され得る。
【０１５２】
（ＵＥ３００）
−制御部３４０
マクロｅＮｏｄｅＢ１００は、マクロセル用ＣＣを使用してＮ−ＣＩＦを送信する場合に、当該マクロセル用ＣＣを使用してＮ−ＣＩＦが送信されることをＵＥ３００に通知する。この場合に、制御部３４０は、無線通信部３２０を介して、マクロｅＮｏｄｅＢ１００により、上記マクロセル用ＣＣを使用してＮ−ＣＩＦが送信されることを通知される。すると、制御部３４０は、上記マクロセル用ＣＣを使用して受信されるＣＩＦ（即ち、Ｎ−ＣＩＦ）から、ピコセル用ＣＣを識別する。そして、制御部３４０は、上記マクロセル用ＣＣを使用して受信されるＵＥ３００のスケジューリング情報に基づいて、識別されたピコセル用ＣＣを使用した無線通信を制御する。
【０１５３】
また、マクロｅＮｏｄｅＢ１００は、マクロセル用ＣＣを使用してＬ−ＣＩＦを送信する場合には、制御部３４０は、上記マクロセル用ＣＣを使用して受信されるＣＩＦ（即ち、Ｌ−ＣＩＦ）から、マクロセル用ＣＣを識別する。そして、制御部３４０は、上記マクロセル用ＣＣを使用して受信されるＵＥ３００のスケジューリング情報に基づいて、識別されたマクロセル用ＣＣを使用した無線通信を制御する。
【０１５４】
＜５．２．３．処理の流れ＞
次に、図１６及び図１７を参照して、本実施形態の第１の変形例に係る通信制御処理の一例を説明する。図１６は、本実施形態の第２の変形例に係る通信制御処理の概略的な流れの一例を示すシーケンス図である。ここでは、図１４を参照して説明した第１の変形例に係る通信制御処理と図１６を参照して説明する第２の変形例に係る通信制御処理との差分であるステップＳ５２１、Ｓ５３０のみを説明する。
【０１５５】
ステップＳ５２１で、マクロｅＮｏｄｅＢ１００のマクロセル通信制御部１５１は、無線通信部１２０を介して、マクロセル用ＣＣで送信されるＵＥ３００のＤＣＩの中にＣＩＦが存在するか否か、及びＣＩＦの種類（Ｎ−ＣＩＦ又はＬ−ＣＩＦ）をＵＥ３００に通知する。マクロセル通信制御部１５１は、例えば、当該ＣＩＦの種類としてＮ−ＣＩＦを通知することにより、マクロセル用ＣＣを使用してＮ−ＣＩＦが送信されることを、ＵＥ３００に通知する。また、マクロセル通信制御部１５１は、例えば、当該ＣＩＦの種類としてＬ−ＣＩＦを通知することにより、マクロセル用ＣＣを使用してＬ−ＣＩＦが送信されることを、ＵＥ３００に通知する。
【０１５６】
ステップＳ５３０で、ＵＥ３００は、ＣＩＦに関するＵＥ３００の動作を決定する。以下、このステップについて図１７を参照してより具体的に説明する。
【０１５７】
（ステップＳ５３０）
図１７は、本実施形態の第２の実施形態に従ってＣＩＦに関するＵＥ３００の動作を決定するための処理の概略的な流れの一例を示すフローチャートである。
【０１５８】
ステップＳ５３１で、制御部３４０は、マクロｅＮｏｄｅＢ１００による通知に基づいて、マクロセル用ＣＣで送信されるＵＥ３００のＤＣＩの中にＣＩＦが存在するか否かを判定する。ＣＩＦが存在する場合には、処理はステップＳ５３３へ進む。そうでなければ、処理はステップＳ５３９へ進む。
【０１５９】
ステップＳ５３３で、制御部３４０は、マクロｅＮｏｄｅＢ１００による通知に基づいて、ＣＩＦの種類がＮ−ＣＩＦであるかを判定する。ＣＩＦの種類がＮ−ＣＩＦであれば、処理はステップＳ５３５へ進む。そうでなければ、処理はステップＳ５３７へ進む。
【０１６０】
ステップＳ５３５で、制御部３４０は、ＣＩＦから、ピコセルで使用されるＣＣを識別することを決定する。そして、処理は終了する。
【０１６１】
ステップＳ５３７で、制御部３４０は、ＣＩＦから、マクロセルで使用されるＣＣを識別することを決定する。そして、処理は終了する。
【０１６２】
ステップＳ５３９で、制御部３４０は、上記マクロセル用ＣＣを使用して送信されるＤＣＩにＣＩＦがないものとして動作することを決定する。そして、処理は終了する。
【０１６３】
＜＜５．３．第３の変形例＞＞
次に、図１８及び図１９を参照して、本実施形態に係る第３の変形例を説明する。
【０１６４】
＜５．３．１．概略＞
第３の変形例では、第１の変形例と同様に、上述したマクロセル用ＣＣ及びピコセル用ＣＣのキャリアアグリゲーションにおいて、クロスキャリアスケジューリングが適用される。そして、マクロセル用ＣＣが、クロスキャリアスケジューリングのアンカーポイントになる。そして、とりわけ第３の変形例では、ピコセル用ＣＣについてのリソース割当て情報（スケジューリング情報）は、物理ダウンリンク制御チャネルのうちの拡張部分で送信される。より具体的には、例えば、物理ダウンリンク制御チャネルのうちの上記拡張部分は、ｅＰＤＣＣＨである。以下、この点について図１８を参照して具体例を説明する。
【０１６５】
図１８は、本実施形態の第３の変形例に従ったスケジューリング情報の送信の一例を説明するための説明図である。図１８を参照すると、ピコセル用ＣＣと、当該ピコセル用ＣＣのアンカーポイントとなるマクロセル用ＣＣとの、１サブフレーム分のリソースが示されている。図１８に示されるように、ピコセル用ＣＣについてのＵＥ３００のスケジューリング情報は、マクロセル用ＣＣのｅＰＤＣＣＨ上で送信される。
【０１６６】
このように、スケジューリング情報がｅＰＤＣＣＨ上で送信されることにより、ＰＤＣＣＨの枯渇を回避することができる。即ち、１つのマクロセル用ＣＣが多数のピコセル用ＣＣのアンカーポイントになると、マクロｅＮｏｄｅＢ１００は、当該１つのマクロセル用ＣＣを使用して、上記多数のピコセル用ＣＣのスケジューリング情報を送信する。この場合に、ＰＤＣＣＨのみでは当該スケジューリング情報を送信できないことも考えられる。よって、ＰＤＣＣＨのみではなく、ｅＰＤＣＣＨも使用してスケジューリング情報を送信することにより、上記多数のピコセル用ＣＣのスケジューリング情報を送信することが可能になる。
【０１６７】
なお、ＰＤＣＣＨは、時間方向において最大で３ＯＦＤＭシンボルの幅であるが、ＰＤＳＣＨは、時間方向において最大で１１ＯＦＤＭシンボルの幅である。よって、ＰＤＳＣＨの全てのリソースを、ｅＰＤＣＣＨのリソースとして使用すれば、制御領域は１１／３倍になる。
【０１６８】
＜５．３．２．各装置の構成＞
次に、本実施形態の第３の変形例に係る各装置の構成を説明する。ここでは、図８、図１０及び図１１を参照して既に説明した内容からの変更点のみを説明する。
（マクロｅＮｏｄｅＢ１００）
−マクロセル通信制御部１５１
マクロセル通信制御部１５１は、無線通信部１２０に、マクロセル用ＣＣのｅＰＤＣＣＨ上で、ピコセル用ＣＣについてのスケジューリング情報を送信させる。
【０１６９】
また、マクロセル通信制御部１５１は、例えば、無線通信部１２０を介して、ＵＥ３００のピコセル用ＣＣについてのスケジューリング情報が送信されるｅＰＤＣＣＨにおける位置（例えば、周波数方向及び時間方向の位置）をＵＥ３００に通知する。
【０１７０】
（ＵＥ３００）
−制御部３４０
ＵＥ３００のピコセル用ＣＣについてのリソース割当て情報（スケジューリング情報）は、ＵＥ３００のマクロセル用ＣＣを使用して無線通信部３２０により受信される。そして、制御部３４０は、当該リソース割当て情報を取得する。なお、ＵＥ３００のピコセル用ＣＣについてのスケジューリング情報が送信されるｅＰＤＣＣＨにおける位置は、マクロｅＮｏｄｅＢ１００によりＵＥ３００に通知される。
【０１７１】
＜５．３．３．処理の流れ＞
次に、図１９を参照して、本実施形態の第３の変形例に係る通信制御処理の一例を説明する。図１９は、本実施形態の第３の変形例に係る通信制御処理の概略的な流れの一例を示すシーケンス図である。ここでは、図１４を参照して説明した第１の変形例に係る通信制御処理と図１９を参照して説明する第３の変形例に係る通信制御処理との差分であるステップＳ５４１、Ｓ５４３のみを説明する。
【０１７２】
ステップＳ５４１で、マクロｅＮｏｄｅＢ１００のマクロセル通信制御部１５１は、無線通信部１２０を介して、ＵＥ３００のピコセル用ＣＣについてのスケジューリング情報が送信されるｅＰＤＣＣＨにおける位置（例えば、周波数方向及び時間方向の位置）をＵＥ３００に通知する。
【０１７３】
ステップＳ５４３で、マクロｅＮｏｄｅＢ１００のマクロセル通信制御部１５１は、無線通信部１２０に、マクロセル１０で使用されるＣＣのＰＤＣＣＨ上で、マクロセル１０についてのスケジューリング情報を送信する。また、マクロｅＮｏｄｅＢ１００のマクロセル通信制御部１５１は、無線通信部１２０に、マクロセル１０で使用されるＣＣのｅＰＤＣＣＨ上で、ピコセル２０についてのスケジューリング情報を送信する。
【０１７４】
＜＜５．４．第４の変形例＞＞
次に、図２０及び図２１を参照して、本実施形態に係る第４の変形例を説明する。
【０１７５】
＜５．４．１．概略＞
第４の変形例では、第１の変形例と同様に、上述したマクロセル用ＣＣ及びピコセル用ＣＣのキャリアアグリゲーションにおいて、クロスキャリアスケジューリングが適用される。そして、マクロセル用ＣＣが、クロスキャリアスケジューリングのアンカーポイントになる。そして、とりわけ第４の変形例では、ピコセル用ＣＣについてのＵＥ３００のリソース割当て情報（スケジューリング情報）は、無線通信の時間の単位であるサブフレームごとに送信される。そして、第１のサブフレーム内で送信される上記リソース割当て情報は、当該第１のサブフレームよりも後の第２のサブフレーム内のダウンリンクリソースについてのリソース割当て情報を含む。即ち、マクロセル用ＣＣを使用して送信されるスケジューリング情報は、同じサブフレーム内のダウンリンクリソースについてのダウンリンク割当て（Downlink  Assignment）ではなく、後のサブフレーム内のダウンリンクリソースについてのダインリンク割当てを含む。この点について図２０を参照して具体例を説明する。
【０１７６】
図２０は、本実施形態の第４の変形例に従ったダウンリンク割当て情報の一例を説明するための説明図である。図２０を参照すると、マクロセル用ＣＣ及びピコセル用ＣＣの３サブフレーム分のリソースが示されている。この例では、あるサブフレーム内でマクロセル用ＣＣを使用して送信される、ピコセル用ＣＣについてのスケジューリング情報は、上記あるサブフレームの直後のサブフレーム内のダウンリンクリソースについてのダウンリンク割当てを含む。
【０１７７】
このようにダウンリンク割当てが通知されるサブフレームと、割り当てられるダウンリンクリソースのサブフレームとの間に、オフセットが存在する。そのため、ＵＥ３００は、ピコセル用ＣＣを使用して送信される情報を全て受信してバッファに蓄積する必要はない。よって、ＵＥ３００は、ＵＥ３００に割り当てられたダウンリンクリソースがあると知った後に、当該ダウンリンクリソースがあるサブフレームで情報を受信すればよい。よって、ＵＥ３００は、ＵＥ３００に割り当てられたダウンリンクリソースがない間は、ピコセル用ＣＣのための受信回路を停止することができる。よって、ＵＥ３００の消費電力を低減することが可能になる。
【０１７８】
＜５．４．２．各装置の構成＞
次に、本実施形態の第４の変形例に係る各装置の構成を説明する。ここでは、図８、図１０及び図１１を参照して既に説明した内容からの変更点のみを説明する。
（マクロｅＮｏｄｅＢ１００）
−マクロセル通信制御部１５１
マクロセル通信制御部１５１は、第１のサブフレームにおいて、無線通信部１２０に、マクロセル用ＣＣを使用して、ピコセル用ＣＣについてのスケジューリング情報を送信させる。当該スケジューリング情報は、第１のサブフレームよりも後の第２のサブフレーム内のダウンリンクリソースについてのリソース割当て情報を含む。
【０１７９】
また、例えば、上記第１のサブフレームと上記第２のサブフレームとの間のオフセットは、ＵＥ３００のために個別に決定される。即ち、マクロセル通信制御部１５１は、上記オフセットをＵＥごとに個別に決定する。例えば、マクロセル通信制御部１５１は、ＵＥ３００の性能（例えば、ＲＦ受信回路の起動時間）に応じて、上記オフセットを決定する。例えば、ＲＦ受信回路の起動時間が長いＵＥについては、上記オフセットをより長くし、ＲＦ受信回路の起動時間が短いＵＥについては、上記オフセットをより短くする。このようなＵＥ個別のオフセットにより、様々な性能を有するＵＥの消費電力をより確実に減らすことが可能になる。
【０１８０】
なお、例えば、マクロセル通信制御部１５１は、無線通信部１２０を介して、上記オフセットをＵＥ３００に通知する。より具体的には、マクロセル通信制御部１５１は、ＲＲＣシグナリングにより上記オフセットをＵＥ３００に通知する。
（ＵＥ３００）
−制御部３４０
無線通信部３２０は、第１のサブフレームにおいて、マクロセル用ＣＣを使用して、ピコセル用ＣＣについてのスケジューリング情報を受信する。そして、制御部３４０は、当該スケジューリング情報を取得する。また、上記スケジューリング情報は、第１のサブフレームよりも後の第２のサブフレーム内のダウンリンクリソースについてのリソース割当て情報を含み、制御部３４０は、ダウンリンクリソースについての当該リソース割り当て情報を取得する。
【０１８１】
また、例えば、上記第１のサブフレームと上記第２のサブフレームとの間のオフセットは、ＵＥ３００のために個別に決定される。そして、当該オフセットは、マクロｅＮｏｄｅＢ１００によりＵＥ３００へ通知される。この場合に、制御部３４０は、通知される上記オフセット、及びピコセル用ＣＣについての上記スケジューリング情報に基づいて、無線通信制御を行う。
【０１８２】
また、制御部３４０は、ピコセル用ＣＣについての上記スケジューリング情報を取得されない間は、当該ピコセル用ＣＣについての受信回路を停止させる。そして、制御部３４０は、ピコセル用ＣＣについての上記スケジューリング情報を取得されると、上記受信回路を起動させる。
【０１８３】
＜５．４．３．処理の流れ＞
次に、図２１を参照して、本実施形態の第４の変形例に係るＵＥ３００の通信制御処理の一例を説明する。図２１は、本実施形態の第４の変形例に係るＵＥ３００の通信制御処理の概略的な流れの一例を示すフローチャートである。
【０１８４】
ステップＳ６０１で、制御部３４０は、ピコセル用ＣＣについての受信回路を停止させる。
【０１８５】
ステップＳ６０３で、制御部３４０は、無線通信部３２０を介して、マクロセル用ＣＣのＰＤＣＣＨをモニタリングする。即ち、制御部３４０は、ＵＥ３００のサーチスペース内でＵＥ３００のスケジューリング情報があるかをモニタリングする。
【０１８６】
ステップＳ６０５で、制御部３４０は、ＵＥ３００のピコセル用ＣＣについてのスケジューリング情報があるかを判定する。当該スケジューリング情報があれば、処理はステップＳ６０７へ進む。そうでなければ、処理はステップＳ６０１へ戻る。
【０１８７】
ステップＳ６０７で、制御部３４０は、ピコセル用ＣＣについての受信回路を起動させる。
【０１８８】
ステップＳ６０９で、無線通信部３２０は、ピコセル用ＣＣを使用して情報を受信し、制御部３４０は、当該情報を取得する。そして、処理はステップＳ６０１へ戻る。
【０１８９】
＜＜＜６．まとめ＞＞＞
ここまで、図１〜図２１を用いて、本開示の実施形態に係る通信装置及び各処理を説明した。本開示に係る実施形態によれば、１つのＰＣＣ及び１つ以上のＳＣＣを使用して無線通信可能なＵＥ３００がマクロセル１０内に位置する場合に、ＵＥ３００による無線通信が制御される。マクロセル１０及びピコセル２０内にＵＥ３００が位置する場合に、マクロセル１０及びピコセル２０の一方で無線通信するための１つ以上のＣＣの１つをＰＣＣとして使用し、他方で無線通信するための１つ以上のＣＣの各々をＳＣＣとして使用するように、ＵＥ３００が制御される。
【０１９０】
例えば、マクロセル１０及びピコセル２０の上記一方は、マクロセル１０であり、マクロセル１０及びピコセル２０の上記他方は、ピコセル２０である。即ち、マクロセル通信制御部１５１は、マクロセル１０及びピコセル２０内にＵＥ３００が位置する場合に、マクロセル１０で無線通信するための１つ以上のマクロセル用ＣＣの１つをＰＣＣとして使用し、ピコセル２０で無線通信するための１つ以上のピコセル用ＣＣの各々をＳＣＣとして使用するように、ＵＥ３００を制御する。また、例えば、マクロセル通信制御部１５１は、上記１つ以上のマクロセル用周波数帯域が複数のマクロセル用周波数帯域を含む場合に、上記１つ以上のマクロセル用周波数帯域のうちの残りを上記補助的な周波数帯域として使用するように、ＵＥ３００を制御する。
【０１９１】
このようなマクロセル用ＣＣ及びピコセル用ＣＣのキャリアアグリゲーションにより、ＵＥ３００は、マクロセル用ＣＣをＰＣＣ（又はＳＣＣ）として使用し、ピコセル用ＣＣをＳＣＣとして使用することができる。そのため、ＵＥ３００は、ピコセル２０で使用可能なＣＣをＵＥ３００のピコセル用ＣＣとして使用するために、当該ＣＣにおいてＲＲＣ接続状態になるための多数の（例えば数十にも及ぶ）トランザクションを行わなくてもよい。例えば、ＵＥは、ＲＲＣ接続状態になるために通常行われる多数のトランザクションのうちの、ランダムアクセスチャネルでのタイミングアドバンス値の取得を行い、当該多数のトランザクションのうちの残りを行わない。このように、マクロセル１０及びピコセル２０での無線通信に関するＵＥ３００の負荷を小さくすることが可能になる。
【０１９２】
また、マクロセル用ＣＣ及びピコセル用ＣＣのキャリアアグリゲーションにより、ＵＥ３００はマクロｅＮｏｄｅＢ１００及びピコｅＮｏｄｅＢ２００の両方とＲＲＣ接続状態になる必要がないので、ＵＥの後方互換性が担保され得る。
【０１９３】
また、マクロセル用ＣＣ及びピコセル用ＣＣのキャリアアグリゲーションにより、いずれのピコセル用ＣＣもＳＣＣとして使用される。また、ＳＣＣでは、ＰＣＣと比べて、送信すべき制御信号がより少ない。よって、ピコセル用ＣＣで送信すべき制御信号は、よりも少なくなる。その結果、ピコセル２０でのスループットが上昇し得る。
【０１９４】
また、ＵＥ３００がマクロセル内に位置する限り、ＵＥ３００がピコセル２０に出入りしたとしても、ＰＣＣを周波数間ハンドオーバにより変更する必要はなく、ＳＣＣの追加又は削除を行えばよい。よって、ＰＣＣの周波数間ハンドオーバをより少なくすることができる。その結果、ＵＥ３００への負担が小さくなる。
【０１９５】
また、例えば、上記ピコセル用ＣＣの各々は、ＰＣＣとして使用されない。即ち、ピコセル用ＣＣの各々の使用は、ＳＣＣとしての使用に限られる。
【０１９６】
これにより、ピコセル用ＣＣで送信すべき制御信号は、常により少なくなる。その結果、ピコセル２０でのスループットが上昇し得る。
【０１９７】
また、例えば、上記１つ以上のピコセル用ＣＣの各々についてのリソース割当て情報（スケジューリング情報）は、上記１つ以上のマクロセル用ＣＣのうちのいずれかのマクロセル用ＣＣを使用して送信される。
【０１９８】
これにより、ピコセル２０で使用されるＣＣにおいてＰＤＣＣＨをなくすことができる。よって、ピコセル２０側の制御をより簡略化することができる。また、ＵＥ３００は、ＵＥ３００のマクロセル用ＣＣ（例えば、２ＧＨｚ帯）についてのＰＤＣＣＨのモニタリングを行えばよく、ＵＥ３００のピコセル用ＣＣ（例えば、５ＧＨｚ帯）についてのＰＤＣＣＨのモニタリングを行う必要はない。よって、ＵＥ３００の負荷を小さくすることができる。
【０１９９】
また、例えば、ＵＥ３００の１つ以上のピコセル用ＣＣのリソース割当て情報（スケジューリング情報）が、ＵＥ３００のいずれかのマクロセル用ＣＣを使用して送信される。この場合に、ピコセル２０内で使用可能なＣＣのうちのいずれのＣＣが上記リソース割当て情報の対象かを示すピコセルＣＣ識別情報（即ち、Ｎ−ＣＩＦ）も、上記いずれのＣＣを使用して送信される。また、上記いずれかのマクロセル用ＣＣを使用して上記ピコセル帯域識別情報（即ち、Ｎ−ＣＩＦ）が送信されることは、ＵＥ３００に通知される。
【０２００】
これにより、ＵＥ３００は、送信されるＣＩＦがＮ−ＣＩＦであること（即ち、送信されるＣＩＦがピコセル２０で使用されるＣＣを指定すること）を知ることができる。よって、ＣＩＦのビット数を増やさなくともよくなる。その結果、無線リソースが有効に利用され、後方互換性も担保され得る。
【０２０１】
また、例えば、上記Ｎ−ＣＩＦが上記いずれかのマクロセル用ＣＣを使用して送信される場合に、マクロセル１０内で使用可能な周波数帯域のうちのいずれのＣＣがＵＥ３００のリソース割当て情報の対象かを示すマクロセルＣＣ識別情報（即ち、Ｌ−ＣＩＦ）は、上記いずれかのマクロセル用ＣＣを使用して送信されない。より具体的には、Ｎ−ＣＩＦは、上記いずれかのマクロセル用ＣＣを使用して送信される場合に、当該いずれかのマクロセル用ＣＣを使用して送信されるＵＥ３００用の制御情報に含まれる。そして、Ｎ−ＣＩＦが、上記いずれかのマクロセル用ＣＣを使用して送信されるＵＥ３００用の制御情報に含まれる場合に、Ｌ−ＣＩＦは、当該制御情報に含まれない。
【０２０２】
仮に、ＵＥ３００のためのＮ−ＣＩＦとＵＥ３００のためのＬ−ＣＩＦが同じマクロセル用ＣＣ（より具体的には、同じＤＣＩ）で送信されると、ＵＥ３００は、Ｌ−ＣＩＦとＮ−ＣＩＦとを区別しなければならない。しかし、上述したように、ＵＥ３００のためのＮ−ＣＩＦとＵＥ３００のためのＬ−ＣＩＦが同じマクロセル用ＣＣ（より具体的には、同じＤＣＩ）で送信されなければ、ＵＥ３００は両者を区別する必要がなくなる。よって、区別のためのビットを新たに設ける必要もないので、無線リソースが有効に利用され、後方互換性も担保され得る。
【０２０３】
また、例えば、ピコセル用ＣＣについてのリソース割当て情報（スケジューリング情報）は、物理ダウンリンク制御チャネルのうちの拡張部分で送信される。より具体的には、例えば、物理ダウンリンク制御チャネルのうちの上記拡張部分は、ｅＰＤＣＣＨである。
【０２０４】
これにより、ＰＤＣＣＨの枯渇を回避することができる。即ち、１つのマクロセル用ＣＣが多数のピコセル用ＣＣのアンカーポイントになると、マクロｅＮｏｄｅＢ１００は、当該１つのマクロセル用ＣＣを使用して、上記多数のピコセル用ＣＣのスケジューリング情報を送信する。この場合に、ＰＤＣＣＨのみでは当該スケジューリング情報を送信できないことも考えられる。よって、ＰＤＣＣＨのみではなく、ｅＰＤＣＣＨも使用してスケジューリング情報を送信することにより、上記多数のピコセル用ＣＣのスケジューリング情報を送信することが可能になる。
【０２０５】
また、例えば、ピコセル用ＣＣについてのＵＥ３００のリソース割当て情報（スケジューリング情報）は、無線通信の時間の単位であるサブフレームごとに送信される。そして、第１のサブフレーム内で送信される上記リソース割当て情報は、当該第１のサブフレームよりも後の第２のサブフレーム内のダウンリンクリソースについてのリソース割当て情報を含む。
【０２０６】
これにより、ダウンリンク割当てが通知されるサブフレームと、割り当てられるダウンリンクリソースのサブフレームとの間に、オフセットが存在する。そのため、ＵＥ３００は、ピコセル用ＣＣを使用して送信される情報を全て受信してバッファに蓄積する必要はない。よって、ＵＥ３００は、ＵＥ３００に割り当てられたダウンリンクリソースがあると知った後に、当該ダウンリンクリソースがあるサブフレームで情報を受信すればよい。よって、ＵＥ３００は、ＵＥ３００に割り当てられたダウンリンクリソースがない間は、ピコセル用ＣＣのための受信回路を停止することができる。よって、ＵＥ３００の消費電力を低減することが可能になる。
【０２０７】
また、例えば、上記第１のサブフレームと上記第２のサブフレームとの間のオフセットは、ＵＥ３００のために個別に決定される。
【０２０８】
これにより、様々な性能を有するＵＥの消費電力をより確実に減らすことが可能になる。
【０２０９】
以上、添付図面を参照しながら本開示の好適な実施形態を説明したが、本開示は係る例に限定されないことは言うまでもない。当業者であれば、請求の範囲に記載された範疇内において、各種の変更例または修正例に想到し得ることは明らかであり、それらについても当然に本開示の技術的範囲に属するものと了解される。
【０２１０】
例えば、マクロセル内に１つのピコセルがある例を説明したが、本開示はこれに限られない。マクロセル内に複数のピコセルがあってもよい。
【０２１１】
また、例えば、マクロセルで使用されるＣＣが２ＭＨｚ帯の周波数帯域であり、ピコセルで使用される周波数帯域が５ＧＨｚ帯の周波数帯域である例を説明したが、本開示はこれに限られない。例えば、マクロセル及びピコセルの両方で同様の帯域（例えば、２ＧＨｚ帯）の周波数帯域が使用されてもよい。この場合に、マクロセルで使用されるＣＣとピコセルで使用されるＣＣとを固定的に分けてもよく、又は、時間に応じて入れ替えてもよい。
【０２１２】
また、マクロセル及びピコセルのそれぞれで複数のＣＣが使用可能である例を説明したが、本開示はこれに限られない。マクロセル及びピコセルの一方又は両方では、１つの周波数帯域のみが使用であってもよい。一例として、ピコセルで使用可能な周波数帯域は、１つの周波数帯域であってもよい。このような場合であれば、ピコセルで使用可能な周波数帯域を１つしか確保できない場合にも、本開示の仕組みを適用できる。また、別の例として、ピコセルで使用可能な周波数帯域は、１つの周波数帯域であり、さらに、マクロセルで使用可能な周波数帯域も、１つの周波数帯域であってもよい。このような場合であっても、マクロセルで使用可能な１つの周波数帯域とピコセルで使用可能な１つの周波数帯域とのキャリアアグリゲーションが行われてもよい。
【０２１３】
また、ピコセル内で複数のＣＣが使用可能である場合に、当該複数のＣＣのうちの２つ以上のＣＣのキャリアアグリゲーション（即ち、ピコセル単体でのキャリアアグリゲーション）が行われてもよく、又は当該キャリアアグリゲーションが行われなくてもよい。同様に、マクロセル内で複数のＣＣが使用可能である場合に、当該複数のＣＣのうちの２つ以上のＣＣのキャリアアグリゲーション（即ち、マクロセル単体でのキャリアアグリゲーション）が行われてもよく、又は当該キャリアアグリゲーションが行われなくてもよい。
【０２１４】
また、ＵＥは、マクロｅＮｏｄｅＢと通信せずに、ピコｅＮｏｄｅＢのみと通信することがあってもよく、又はなくてもよい。
【０２１５】
また、１つのＵＥに着目して無線通信制御の内容を説明したが、当然ながら本開示はこれに限られない。マクロセル及びピコセル内では、複数のＵＥが通信してもよい。
【０２１６】
また、ピコセルで使用されるＣＣの各々がＳＣＣとして使用され、マクロセルで使用されるＣＣの１つがＰＣＣとして使用される例を説明したが、本開示はこれに限られない。例えば、反対に、ピコセルで使用されるＣＣの１つがＰＣＣとして使用され、マクロセルで使用されるＣＣの各々がＳＣＣとして使用されてもよい。
【０２１７】
また、マクロセルｅＮｏｄｅＢとピコｅＮｏｄｅＢとが有線通信を行う例を説明したが、本開示はこれに限られない。有線通信の代わりに、無線通信（例えば、マイクロ波通信）が行われてもよい。
【０２１８】
また、ピコｅＮｏｄｅＢがＲＲＨである例を説明したが、本開示はこれに限られない。ピコｅＮｏｄｅＢは、通常のｅＮｏｄｅＢと同様の機能を備えてもよい。例えば、マクロｅＮｏｄｅＢの構成要素として説明されたピコセル通信制御部が、ピコｅＮｏｄｅＢに備えられてもよい。
【０２１９】
また、マクロｅＮｏｄｅＢは、１つの装置でなく、複数の装置から構成されてもよい。例えば、マクロｅＮｏｄｅＢは、複数の装置の１つとして、少なくとも制御部を含む通信制御装置を含んでもよい。また、制御部のうちのマクロセル通信制御部とピコセル通信制御部とは、別々の通信制御装置に備えられてもよい。
【０２２０】
また、ＬＴＥ−Ａに準拠する無線通信システムの例を説明したが、本開示はこれに限られない。本開示に係る技術は、キャリアアグリゲーションと同様の無線通信制御を行う別の通信規格の無線通信システムにも適用され得る。同様に、基地局の例としてｅＮｏｄｅＢ、端末装置の例としてＵＥを説明したが、本開示はこれに限られない。本開示に係る技術は、別の通信規格に準拠する基地局及び端末装置にも適用され得る。また、マクロセル及びピコセルで使用される周波数帯域の例としてＣＣを説明したが、本開示はこれに限られない。本開示に係る技術は、任意の周波数帯域に適用され得る。同様に、主要な周波数帯域及び補助的な周波数帯域の例としてＰＣＣ及びＳＣＣを説明したが、本開示はこれに限られない。本開示に係る技術は、任意の主要な周波数帯域及び補助的な周波数帯域に適用され得る。
【０２２１】
また、マクロセルと一部又は全体で重複するスモールセルがピコセルである例を説明したが、本開示はこれに限られない。例えば、当該スモールセルは、フェムトセル、ナノセル又はマイクロセルであってもよい。
【０２２２】
また、本明細書の通信制御処理における処理ステップは、必ずしもフローチャートに記載された順序に沿って時系列に実行されなくてよい。例えば、通信制御処理における処理ステップは、フローチャートとして記載した順序と異なる順序で実行されても、並列的に実行されてもよい。
【０２２３】
また、通信制御装置に内蔵されるＣＰＵ、ＲＯＭ及びＲＡＭ等のハードウェアに、上記通信制御装置の各構成と同等の機能を発揮させるためのコンピュータプログラムも作成可能である。また、当該コンピュータプログラムを記憶させた記憶媒体も提供される。
【０２２４】
なお、以下のような構成も本開示の技術的範囲に属する。
（１）
１つの主要な周波数帯域及び１つ以上の補助的な周波数帯域を使用して無線通信可能な端末装置がマクロセル内に位置する場合に、前記端末装置による無線通信を制御する制御部
を備え、
前記制御部は、前記マクロセルと一部又は全体で重複するスモールセル及び前記マクロセル内に前記端末装置が位置する場合に、前記マクロセル及び前記スモールセルの一方で無線通信するための１つ以上の周波数帯域の１つを前記主要な周波数帯域として使用し、前記マクロセル及び前記スモールセルの他方で無線通信するための１つ以上の周波数帯域の各々を前記補助な周波数帯域として使用するように、前記端末装置を制御する、
通信制御装置。
（２）
前記マクロセル及び前記スモールセルの一方は、前記マクロセルであり、
前記マクロセル及び前記スモールセルの他方は、前記スモールセルであり、
前記制御部は、前記スモールセル及び前記マクロセル内に前記端末装置が位置する場合に、前記マクロセルで無線通信するための１つ以上のマクロセル用周波数帯域の１つを前記主要な周波数帯域として使用し、前記スモールセルで無線通信するための１つ以上のスモールセル用周波数帯域の各々を前記補助的な周波数帯域として使用するように、前記端末装置を制御する、
前記（１）に記載の通信制御装置。
（３）
前記１つ以上のスモールセル用周波数帯域の各々は、前記主要な周波数帯域として使用されない、前記（２）に記載の通信制御装置。
（４）
前記制御部は、前記１つ以上のマクロセル用周波数帯域が複数のマクロセル用周波数帯域を含む場合に、前記１つ以上のマクロセル用周波数帯域のうちの残りを前記補助的な周波数帯域として使用するように、前記端末装置を制御する、前記（２）又は（３）に記載の通信制御装置。
（５）
前記１つ以上のスモールセル用周波数帯域の各々についてのリソース割当て情報は、前記１つ以上のマクロセル用周波数帯域のうちのいずれかのマクロセル用周波数帯域を使用して送信される、前記（２）〜（４）のいずれか１項に記載の通信制御装置。
（６）
前記リソース割当て情報が、前記いずれかのマクロセル用周波数帯域を使用して送信される場合に、前記スモールセル内で使用可能な周波数帯域のうちのいずれの周波数帯域が前記リソース割当て情報の対象かを示すスモールセル帯域識別情報も、前記いずれかのマクロセル用周波数帯域を使用して送信され、
前記いずれかのマクロセル用周波数帯域を使用して前記スモールセル帯域識別情報が送信されることは、前記端末装置に通知される、
前記（５）に記載の通信制御装置。
（７）
前記スモールセル帯域識別情報が前記いずれかのマクロセル用周波数帯域を使用して送信される場合に、前記マクロセル内で使用可能な周波数帯域のうちのいずれの周波数帯域が前記端末装置のリソース割当て情報の対象かを示すマクロセル帯域識別情報は、前記いずれかのマクロセル用周波数帯域を使用して送信されない、前記（６）に記載の通信制御装置。
（８）
前記スモールセル帯域識別情報は、前記いずれかのマクロセル用周波数帯域を使用して送信される場合に、前記いずれかのマクロセル用周波数帯域を使用して送信される前記端末装置用の制御情報に含まれ、
前記マクロセル帯域識別情報は、前記スモールセル帯域識別情報が前記端末装置用の前記制御情報に含まれる場合には、当該制御情報に含まれない。
前記（７）に記載の通信制御装置。
（９）
前記リソース割当て情報は、物理ダウンリンク制御チャネルのうちの拡張部分で送信される、前記（５）〜（８）のいずれか１項に記載の通信制御装置。
（１０）
前記物理ダウンリンク制御チャネルの前記拡張部分は、ｅＰＤＣＣＨ（enhanced  Physical  Downlink  Control  CHannel）である、前記（９）に記載の通信制御装置。
（１１）
前記リソース割当て情報は、無線通信の時間の単位であるサブフレームごとに送信され、
第１のサブフレーム内で送信される前記リソース割当て情報は、前記第１のサブフレームよりも後の第２のサブフレーム内のダウンリンクリソースについてのリソース割当て情報を含む、
前記（５）〜（１０）のいずれか１項に記載の通信制御装置。
（１２）
前記第１のサブフレームと前記第２のサブフレームとの間のオフセットは、前記端末装置のために個別に決定される、前記（１１）に記載の通信制御装置。
（１３）
前記スモールセル内で使用される周波数帯域は、前記マクロセル内で使用される周波数帯域よりも、より高い周波数帯域である、前記（１）〜（１２）のいずれか１項に記載の通信制御装置。
（１４）
前記１つの主要な周波数帯域及び前記１つ以上の補助的な周波数帯域は、キャリアアグリゲーションで使用される、前記（１）〜（１３）のいずれか１項に記載の通信制御装置。
（１５）
前記１つの主要な周波数帯域は、１つのプライマリコンポーネントキャリアであり、
前記１つ以上の補助的な周波数帯域は、１つ以上のセカンダリコンポーネントキャリアである、
前記（１４）に記載の通信制御装置。
（１６）
前記スモールセル内で使用可能な周波数帯域は、１つの周波数帯域である、前記（１）〜（１５）のいずれか１項に記載の通信制御装置。
（１７）
コンピュータを、
１つの主要な周波数帯域及び１つ以上の補助的な周波数帯域を使用して無線通信可能な端末装置がマクロセル内に位置する場合に、前記端末装置による無線通信を制御する制御部
として機能させ、
前記制御部は、前記マクロセルと一部又は全体で重複するスモールセル及び前記マクロセル内に前記端末装置が位置する場合に、前記マクロセル及び前記スモールセルの一方で無線通信するための１つ以上の周波数帯域の１つを前記主要な周波数帯域として使用し、前記マクロセル及び前記スモールセルの他方で無線通信するための１つ以上の周波数帯域の各々を前記補助な周波数帯域として使用するように、前記端末装置を制御する、
プログラム。
（１８）
１つの主要な周波数帯域及び１つ以上の補助的な周波数帯域を使用して無線通信可能な端末装置がマクロセル内に位置する場合に、前記端末装置による無線通信を制御すること
を含み、
前記端末装置による無線通信を制御することは、前記マクロセルと一部又は全体で重複するスモールセル及び前記マクロセル内に前記端末装置が位置する場合に、前記マクロセル及び前記スモールセルの一方で無線通信するための１つ以上の周波数帯域の１つを前記主要な周波数帯域として使用し、前記マクロセル及び前記スモールセルの他方で無線通信するための１つ以上の周波数帯域の各々を前記補助な周波数帯域として使用するように、前記端末装置を制御すること、を含む、
通信制御方法。
（１９）
１つの主要な周波数帯域及び１つ以上の補助的な周波数帯域を使用して無線通信可能な端末装置が、マクロセルと一部又は全体で重複するスモールセル内に位置する場合に、前記端末装置による前記スモールセル内での無線通信を制御する制御部
を備え、
前記制御部は、
前記端末装置が、前記マクロセル及び前記スモールセル内に位置し、前記マクロセルで無線通信するための１つ以上のマクロセル用周波数帯域の１つを前記主要な周波数帯域として使用する場合に、前記スモールセルで無線通信するための１つ以上のスモールセル用周波数帯域の各々を前記補助な周波数帯域として使用するように、前記端末装置を制御し、又は
前記端末装置が、前記マクロセル及び前記スモールセル内に位置し、前記１つ以上のマクロセル用周波数帯域の各々を前記補助的な周波数帯域として使用する場合に、前記１つ以上のスモールセル用周波数帯域の１つを前記主要な周波数帯域として使用するように、前記端末装置を制御する、
通信制御装置。
（２０）
コンピュータを、
１つの主要な周波数帯域及び１つ以上の補助的な周波数帯域を使用して無線通信可能な端末装置が、マクロセルと一部又は全体で重複するスモールセル内に位置する場合に、前記端末装置による前記スモールセル内での無線通信を制御する制御部
として機能させ、
前記制御部は、
前記端末装置が、前記マクロセル及び前記スモールセル内に位置し、前記マクロセルで無線通信するための１つ以上のマクロセル用周波数帯域の１つを前記主要な周波数帯域として使用する場合に、前記スモールセルで無線通信するための１つ以上のスモールセル用周波数帯域の各々を前記補助な周波数帯域として使用するように、前記端末装置を制御し、又は
前記端末装置が、前記マクロセル及び前記スモールセル内に位置し、前記１つ以上のマクロセル用周波数帯域の各々を前記補助的な周波数帯域として使用する場合に、前記１つ以上のスモールセル用周波数帯域の１つを前記主要な周波数帯域として使用するように、前記端末装置を制御する、
プログラム。
（２１）
１つの主要な周波数帯域及び１つ以上の補助的な周波数帯域を使用して無線通信可能な端末装置が、マクロセルと一部又は全体で重複するスモールセル内に位置する場合に、前記端末装置による前記スモールセル内での無線通信を制御すること
を含み、
前記端末装置による無線通信を制御することは、
前記端末装置が、前記マクロセル及び前記スモールセル内に位置し、前記マクロセルで無線通信するための１つ以上のマクロセル用周波数帯域の１つを前記主要な周波数帯域として使用する場合に、前記スモールセルで無線通信するための１つ以上のスモールセル用周波数帯域の各々を前記補助な周波数帯域として使用するように、前記端末装置を制御すること、又は
前記端末装置が、前記マクロセル及び前記スモールセル内に位置し、前記１つ以上のマクロセル用周波数帯域の各々を前記補助的な周波数帯域として使用する場合に、前記１つ以上のスモールセル用周波数帯域の１つを前記主要な周波数帯域として使用するように、前記端末装置を制御すること
を含む、
通信制御方法。
（２２）
マクロセルで無線通信するための１つ以上のマクロセル用周波数帯域を使用して前記マクロセル内で無線通信し、前記マクロセルと一部又は全体で重複するスモールセルで無線通信するための１つ以上のスモールセル用周波数帯域を使用して前記スモールセル内で無線通信する無線通信部と、
前記１つ以上のマクロセル用周波数帯域及び前記１つ以上のスモールセル用周波数帯域の一方の１つを主要な周波数帯域として使用し、前記１つ以上のマクロセル用周波数帯域及び前記１つ以上のスモールセル用周波数帯域の一方の各々を補助的な周波数帯域として使用する制御部と、
を備える端末装置。
（２３）
マクロセルで無線通信するための１つ以上のマクロセル用周波数帯域を使用して前記マクロセル内で無線通信することと、
前記マクロセルと一部又は全体で重複するスモールセルで無線通信するための１つ以上のスモールセル用周波数帯域を使用して前記スモールセル内で無線通信することと、
前記１つ以上のマクロセル用周波数帯域及び前記１つ以上のスモールセル用周波数帯域の一方の１つを主要な周波数帯域として使用し、前記１つ以上のマクロセル用周波数帯域及び前記１つ以上のスモールセル用周波数帯域の一方の各々を補助的な周波数帯域として使用することと、
を含む通信制御方法。
【符号の説明】
【０２２５】
１０      マクロセル
２０      ピコセル
１００    マクロｅＮｏｄｅＢ
１１０    アンテナ部
１２０    無線通信部
１３０    ネットワーク制御部
１４０    記憶部
１５０    制御部
１５１    マクロセル通信制御部
１５３    ピコセル通信制御部
２００    ピコｅＮｏｄｅＢ
２１０    アンテナ部
２２０    無線通信部
２３０    ネットワーク制御部
２４０    記憶部
２５０    制御部
３００    ピコｅＮｏｄｅＢ
３１０    アンテナ部
３２０    無線通信部
３３０    記憶部
３４０    制御部
【図１】
2014069057.tif 000003
【図２】
2014069057.tif 000004
【図３】
2014069057.tif 000005
【図４】
2014069057.tif 000006
【図５】
2014069057.tif 000007
【図６】
2014069057.tif 000008
【図７】
2014069057.tif 000009
【図８】
2014069057.tif 000010
【図９】
2014069057.tif 000011
【図１０】
2014069057.tif 000012
【図１１】
2014069057.tif 000013
【図１２】
2014069057.tif 000014
【図１３】
2014069057.tif 000015
【図１４】
2014069057.tif 000016
【図１５】
2014069057.tif 000017
【図１６】
2014069057.tif 000018
【図１７】
2014069057.tif 000019
【図１８】
2014069057.tif 000020
【図１９】
2014069057.tif 000021
【図２０】
2014069057.tif 000022
【図２１】
2014069057.tif 000023
【手続補正書】
【提出日】平成28年6月23日(2016.6.23)
【手続補正１】
【補正対象書類名】特許請求の範囲
【補正対象項目名】全文
【補正方法】変更
【補正の内容】
【特許請求の範囲】
【請求項１】
１つの主要な周波数帯域及び１つ以上の補助的な周波数帯域を使用して無線通信可能な端末装置がマクロセル内に位置する場合に、前記端末装置による無線通信を制御する制御部
を備え、
前記制御部は、前記マクロセルと一部又は全体で重複するスモールセル及び前記マクロセル内に前記端末装置が位置する場合に、前記マクロセル及び前記スモールセルの一方で無線通信するための１つ以上の周波数帯域の１つを前記主要な周波数帯域として使用し、前記マクロセル及び前記スモールセルの他方で無線通信するための１つ以上の周波数帯域の各々を前記補助的な周波数帯域として使用するように、前記端末装置を制御する、
通信制御装置。
【請求項２】
前記マクロセル及び前記スモールセルの一方は、前記マクロセルであり、
前記マクロセル及び前記スモールセルの他方は、前記スモールセルであり、
前記制御部は、前記スモールセル及び前記マクロセル内に前記端末装置が位置する場合に、前記マクロセルで無線通信するための１つ以上のマクロセル用周波数帯域の１つを前記主要な周波数帯域として使用し、前記スモールセルで無線通信するための１つ以上のスモールセル用周波数帯域の各々を前記補助的な周波数帯域として使用するように、前記端末装置を制御する、
請求項１に記載の通信制御装置。
【請求項３】
前記１つ以上のスモールセル用周波数帯域の各々は、前記主要な周波数帯域として使用されない、請求項２に記載の通信制御装置。
【請求項４】
前記制御部は、前記１つ以上のマクロセル用周波数帯域が複数のマクロセル用周波数帯域を含む場合に、前記１つ以上のマクロセル用周波数帯域のうちの残りを前記補助的な周波数帯域として使用するように、前記端末装置を制御する、請求項２又は３に記載の通信制御装置。
【請求項５】
前記１つ以上のスモールセル用周波数帯域の各々についてのリソース割当て情報は、前記１つ以上のマクロセル用周波数帯域のうちのいずれかのマクロセル用周波数帯域を使用して送信される、請求項２〜４のいずれか１項に記載の通信制御装置。
【請求項６】
前記リソース割当て情報が、前記いずれかのマクロセル用周波数帯域を使用して送信される場合に、前記スモールセル内で使用可能な周波数帯域のうちのいずれの周波数帯域が前記リソース割当て情報の対象かを示すスモールセル帯域識別情報も、前記いずれかのマクロセル用周波数帯域を使用して送信され、
前記いずれかのマクロセル用周波数帯域を使用して前記スモールセル帯域識別情報が送信されることは、前記端末装置に通知される、
請求項５に記載の通信制御装置。
【請求項７】
前記スモールセル帯域識別情報が前記いずれかのマクロセル用周波数帯域を使用して送信される場合に、前記マクロセル内で使用可能な周波数帯域のうちのいずれの周波数帯域が前記端末装置のリソース割当て情報の対象かを示すマクロセル帯域識別情報は、前記いずれかのマクロセル用周波数帯域を使用して送信されない、請求項６に記載の通信制御装置。
【請求項８】
前記スモールセル帯域識別情報は、前記いずれかのマクロセル用周波数帯域を使用して送信される場合に、前記いずれかのマクロセル用周波数帯域を使用して送信される前記端末装置用の制御情報に含まれ、
前記マクロセル帯域識別情報は、前記スモールセル帯域識別情報が前記端末装置用の前記制御情報に含まれる場合には、当該制御情報に含まれない。
請求項７に記載の通信制御装置。
【請求項９】
前記リソース割当て情報は、物理ダウンリンク制御チャネルのうちの拡張部分で送信される、請求項５〜８のいずれか１項に記載の通信制御装置。
【請求項１０】
前記物理ダウンリンク制御チャネルの前記拡張部分は、ｅＰＤＣＣＨ（enhanced  Physical  Downlink  Control  CHannel）である、請求項９に記載の通信制御装置。
【請求項１１】
前記リソース割当て情報は、無線通信の時間の単位であるサブフレームごとに送信され、
第１のサブフレーム内で送信される前記リソース割当て情報は、前記第１のサブフレームよりも後の第２のサブフレーム内のダウンリンクリソースについてのリソース割当て情報を含む、
請求項５〜１０のいずれか１項に記載の通信制御装置。
【請求項１２】
前記第１のサブフレームと前記第２のサブフレームとの間のオフセットは、前記端末装置のために個別に決定される、請求項１１に記載の通信制御装置。
【請求項１３】
前記スモールセル内で使用される周波数帯域は、前記マクロセル内で使用される周波数帯域よりも、より高い周波数帯域である、請求項１〜１２のいずれか１項に記載の通信制御装置。
【請求項１４】
前記１つの主要な周波数帯域及び前記１つ以上の補助的な周波数帯域は、キャリアアグリゲーションで使用される、請求項１〜１３のいずれか１項に記載の通信制御装置。
【請求項１５】
前記１つの主要な周波数帯域は、１つのプライマリコンポーネントキャリアであり、
前記１つ以上の補助的な周波数帯域は、１つ以上のセカンダリコンポーネントキャリアである、
請求項１４に記載の通信制御装置。
【請求項１６】
前記スモールセル内で使用可能な周波数帯域は、１つの周波数帯域である、請求項１〜１５のいずれか１項に記載の通信制御装置。
【請求項１７】
コンピュータを、
１つの主要な周波数帯域及び１つ以上の補助的な周波数帯域を使用して無線通信可能な端末装置がマクロセル内に位置する場合に、前記端末装置による無線通信を制御する制御部
として機能させ、
前記制御部は、前記マクロセルと一部又は全体で重複するスモールセル及び前記マクロセル内に前記端末装置が位置する場合に、前記マクロセル及び前記スモールセルの一方で無線通信するための１つ以上の周波数帯域の１つを前記主要な周波数帯域として使用し、前記マクロセル及び前記スモールセルの他方で無線通信するための１つ以上の周波数帯域の各々を前記補助的な周波数帯域として使用するように、前記端末装置を制御する、
プログラム。
【請求項１８】
１つの主要な周波数帯域及び１つ以上の補助的な周波数帯域を使用して無線通信可能な端末装置がマクロセル内に位置する場合に、前記端末装置による無線通信を制御すること
を含み、
前記端末装置による無線通信を制御することは、前記マクロセルと一部又は全体で重複するスモールセル及び前記マクロセル内に前記端末装置が位置する場合に、前記マクロセル及び前記スモールセルの一方で無線通信するための１つ以上の周波数帯域の１つを前記主要な周波数帯域として使用し、前記マクロセル及び前記スモールセルの他方で無線通信するための１つ以上の周波数帯域の各々を前記補助的な周波数帯域として使用するように、前記端末装置を制御すること、を含む、
通信制御方法。
【請求項１９】
１つの主要な周波数帯域及び１つ以上の補助的な周波数帯域を使用して無線通信可能な端末装置が、マクロセルと一部又は全体で重複するスモールセル内に位置する場合に、前記端末装置による前記スモールセル内での無線通信を制御する制御部
を備え、
前記制御部は、
前記端末装置が、前記マクロセル及び前記スモールセル内に位置し、前記マクロセルで無線通信するための１つ以上のマクロセル用周波数帯域の１つを前記主要な周波数帯域として使用する場合に、前記スモールセルで無線通信するための１つ以上のスモールセル用周波数帯域の各々を前記補助的な周波数帯域として使用するように、前記端末装置を制御し、又は
前記端末装置が、前記マクロセル及び前記スモールセル内に位置し、前記１つ以上のマクロセル用周波数帯域の各々を前記補助的な周波数帯域として使用する場合に、前記１つ以上のスモールセル用周波数帯域の１つを前記主要な周波数帯域として使用するように、前記端末装置を制御する、
通信制御装置。
【請求項２０】
コンピュータを、
１つの主要な周波数帯域及び１つ以上の補助的な周波数帯域を使用して無線通信可能な端末装置が、マクロセルと一部又は全体で重複するスモールセル内に位置する場合に、前記端末装置による前記スモールセル内での無線通信を制御する制御部
として機能させ、
前記制御部は、
前記端末装置が、前記マクロセル及び前記スモールセル内に位置し、前記マクロセルで無線通信するための１つ以上のマクロセル用周波数帯域の１つを前記主要な周波数帯域として使用する場合に、前記スモールセルで無線通信するための１つ以上のスモールセル用周波数帯域の各々を前記補助的な周波数帯域として使用するように、前記端末装置を制御し、又は
前記端末装置が、前記マクロセル及び前記スモールセル内に位置し、前記１つ以上のマクロセル用周波数帯域の各々を前記補助的な周波数帯域として使用する場合に、前記１つ以上のスモールセル用周波数帯域の１つを前記主要な周波数帯域として使用するように、前記端末装置を制御する、
プログラム。
【請求項２１】
１つの主要な周波数帯域及び１つ以上の補助的な周波数帯域を使用して無線通信可能な端末装置が、マクロセルと一部又は全体で重複するスモールセル内に位置する場合に、前記端末装置による前記スモールセル内での無線通信を制御すること
を含み、
前記端末装置による無線通信を制御することは、
前記端末装置が、前記マクロセル及び前記スモールセル内に位置し、前記マクロセルで無線通信するための１つ以上のマクロセル用周波数帯域の１つを前記主要な周波数帯域として使用する場合に、前記スモールセルで無線通信するための１つ以上のスモールセル用周波数帯域の各々を前記補助的な周波数帯域として使用するように、前記端末装置を制御すること、又は
前記端末装置が、前記マクロセル及び前記スモールセル内に位置し、前記１つ以上のマクロセル用周波数帯域の各々を前記補助的な周波数帯域として使用する場合に、前記１つ以上のスモールセル用周波数帯域の１つを前記主要な周波数帯域として使用するように、前記端末装置を制御すること
を含む、
通信制御方法。
【請求項２２】
マクロセルで無線通信するための１つ以上のマクロセル用周波数帯域を使用して前記マクロセル内で無線通信し、前記マクロセルと一部又は全体で重複するスモールセルで無線通信するための１つ以上のスモールセル用周波数帯域を使用して前記スモールセル内で無線通信する無線通信部と、
前記１つ以上のマクロセル用周波数帯域及び前記１つ以上のスモールセル用周波数帯域の一方の１つを主要な周波数帯域として使用し、前記１つ以上のマクロセル用周波数帯域及び前記１つ以上のスモールセル用周波数帯域の一方の各々を補助的な周波数帯域として使用する制御部と、
を備える端末装置。
【請求項２３】
マクロセルで無線通信するための１つ以上のマクロセル用周波数帯域を使用して前記マクロセル内で無線通信することと、
前記マクロセルと一部又は全体で重複するスモールセルで無線通信するための１つ以上のスモールセル用周波数帯域を使用して前記スモールセル内で無線通信することと、
前記１つ以上のマクロセル用周波数帯域及び前記１つ以上のスモールセル用周波数帯域の一方の１つを主要な周波数帯域として使用し、前記１つ以上のマクロセル用周波数帯域及び前記１つ以上のスモールセル用周波数帯域の一方の各々を補助的な周波数帯域として使用することと、
を含む通信制御方法。
【国際調査報告】
2014069057.tif 000024
2014069057.tif 000025